(57)【要約】  収穫量記録装置（１０１）は、複数の圃場のそれぞれで生産された特定の作物がいずれの圃場で生産されたかによらずに複数に分類された結果の、分類ごとの特定の作物の量を示す情報を受け付ける。収穫量記録装置（１０１）は、複数の圃場のそれぞれについて記憶部（１１０）に記憶されている特定の作物の栽培時の作付面積を参照して、分類ごとの特定の作物の量を、参照した複数の圃場のそれぞれの作付面積に応じて按分する。収穫量記録装置（１０１）は、分類ごとの按分した後の各圃場に対応する量を、それぞれの圃場の識別子と対応付けて記憶する。
2016035149.tif 000002
【特許請求の範囲】
【請求項１】
コンピュータが、
複数の圃場のそれぞれで生産された特定の作物がいずれの圃場で生産されたかによらずに複数に分類された結果の、分類ごとの前記特定の作物の量を示す情報を受け付け、
前記複数の圃場のそれぞれについて記憶部に記憶されている前記特定の作物の栽培時の作付面積を参照して、前記分類ごとの前記特定の作物の量を、参照した前記複数の圃場のそれぞれの作付面積に応じて按分し、前記分類ごとの該按分した後の各圃場に対応する量を、それぞれの圃場の識別子と対応付けて記憶する、
処理を実行することを特徴とする収穫量記録方法。
【請求項２】
前記記憶する処理は、
さらに、圃場ごとに按分された前記分類ごとの前記特定の作物の量の合計量を算出し、算出した前記合計量を収穫量として、前記圃場の識別子と対応付けて記憶することを特徴とする請求項１に記載の収穫量記録方法。
【請求項３】
前記分類ごとに単位量当たりの価格が異なり、
前記記憶する処理は、
さらに、前記分類ごとの単位量当たりの価格と按分した前記特定の作物の量とから求めた価格の、圃場ごとの合算値を、前記圃場の識別子と対応付けて記憶することを特徴とする請求項１または２に記載の収穫量記録方法。
【請求項４】
前記記憶する処理は、
さらに、圃場ごとに按分された前記分類ごとの前記特定の作物の量の合計量に対する、前記圃場ごとに按分された前記分類ごとの前記特定の作物の量の割合を算出し、算出した前記分類ごとの割合を、前記圃場の識別子と対応付けて記憶することを特徴とする請求項１に記載の収穫量記録方法。
【請求項５】
コンピュータに、
複数の圃場のそれぞれで生産された特定の作物がいずれの圃場で生産されたかによらずに複数に分類された結果の、分類ごとの前記特定の作物の量を示す情報を受け付け、
前記複数の圃場のそれぞれについて記憶部に記憶されている前記特定の作物の栽培時の作付面積を参照して、前記分類ごとの前記特定の作物の量を、参照した前記複数の圃場のそれぞれの作付面積に応じて按分し、前記分類ごとの該按分した後の各圃場に対応する量を、それぞれの圃場の識別子と対応付けて記憶する、
処理を実行させることを特徴とする収穫量記録プログラム。
【請求項６】
複数の圃場のそれぞれについて、前記複数の圃場のそれぞれで生産された特定の作物の栽培時の作付面積を記憶する記憶部と、
前記特定の作物がいずれの圃場で生産されたかによらずに複数に分類された結果の、分類ごとの前記特定の作物の量を示す情報を受け付け、前記記憶部に記憶されている前記特定の作物の栽培時の作付面積を参照して、前記分類ごとの前記特定の作物の量を、参照した前記複数の圃場のそれぞれの作付面積に応じて按分し、前記分類ごとの該按分した後の各圃場に対応する量を、それぞれの圃場の識別子と対応付けて記憶する制御部と、
を有することを特徴とする収穫量記録装置。
【発明の詳細な説明】
【技術分野】
【０００１】
本発明は、収穫量記録方法、収穫量記録プログラムおよび収穫量記録装置に関する。
【背景技術】
【０００２】
農業において、圃場で生産された作物は、大きさ、重さ、色、つや、形、傷の有無などを基に選別されて出荷されることが多い。例えば、キャベツの選別では、大きさや重さを基に、Ｓ、Ｍ、Ｌ、２Ｌなどの階級に分類される。また、同じ品目の作物が複数の圃場で生産されることがある。【０００３】
先行技術としては、例えば、刈取部で穀稈を刈取る圃場の穀稈総刈取面積と、穀物タンク内に貯留する穀物の総収穫量とに基づいて圃場の収量データを取得する技術がある。また、農産物の評価情報及び栽培場所を、生産部の生産情報、流通部の流通情報、消費部の消費情報と対応させて情報管理装置に記憶し、生産部、流通部、消費部から情報管理装置にアクセスするだけで、記憶された情報を閲覧、検索、取得可能にする技術がある。
【先行技術文献】
【特許文献】
【０００４】
【特許文献１】特開２００３−２８９７１７号公報
【特許文献２】特開２００４−１３３４９８号公報
【発明の概要】
【発明が解決しようとする課題】
【０００５】
しかしながら、従来技術によれば、複数の圃場で生産されたある作物について、例えば、各圃場で階級ごとの作物がどれくらいの量それぞれ生産されたのかといった選別結果を得ることが難しい場合がある。【０００６】
一つの側面では、本発明は、複数の圃場で生産された作物について、各圃場の分類ごとの大まかな収穫量を記録する収穫量記録方法、収穫量記録プログラムおよび収穫量記録装置を提供することを目的とする。
【課題を解決するための手段】
【０００７】
本発明の一側面によれば、複数の圃場のそれぞれで生産された特定の作物がいずれの圃場で生産されたかによらずに複数に分類された結果の、分類ごとの前記特定の作物の量を示す情報を受け付け、前記複数の圃場のそれぞれについて記憶部に記憶されている前記特定の作物の栽培時の作付面積を参照して、前記分類ごとの前記特定の作物の量を、参照した前記複数の圃場のそれぞれの作付面積に応じて按分し、前記分類ごとの該按分した後の各圃場に対応する量を、それぞれの圃場の識別子と対応付けて記憶する収穫量記録方法、収穫量記録プログラムおよび収穫量記録装置が提案される。
【発明の効果】
【０００８】
本発明の一態様によれば、複数の圃場で生産された作物について、各圃場の分類ごとの大まかな収穫量を記録することができるという効果を奏する。
【図面の簡単な説明】
【０００９】
【図１】図１は、実施の形態にかかる収穫量記録方法の一実施例を示す説明図である。
【図２】図２は、農業支援システム２００のシステム構成例を示す説明図である。
【図３】図３は、収穫量記録装置１０１のハードウェア構成例を示すブロック図である。
【図４】図４は、クライアント装置２０１のハードウェア構成例を示すブロック図である。
【図５】図５は、生産計画ＤＢ２２０の記憶内容の一例を示す説明図である。
【図６】図６は、単位マスタ２３０の記憶内容の一例を示す説明図である。
【図７】図７は、作物単価マスタ２４０の記憶内容の一例を示す説明図である。
【図８】図８は、収穫量ＤＢ２５０の記憶内容の一例を示す説明図である。
【図９】図９は、圃場選択画面の画面例を示す説明図である。
【図１０】図１０は、収穫量記録装置１０１の機能的構成例を示すブロック図である。
【図１１】図１１は、収穫量ＤＢ２５０の記憶内容の変遷例を示す説明図（その１）である。
【図１２】図１２は、収穫量ＤＢ２５０の記憶内容の変遷例を示す説明図（その２）である。
【図１３】図１３は、収穫量ＤＢ２５０の記憶内容の変遷例を示す説明図（その３）である。
【図１４】図１４は、収穫量ＤＢ２５０の記憶内容の変遷例を示す説明図（その４）である。
【図１５】図１５は、圃場別選別結果画面の画面例を示す説明図（その１）である。
【図１６】図１６は、比率画面の画面例を示す説明図である。
【図１７】図１７は、圃場別選別結果画面の画面例を示す説明図（その２）である。
【図１８】図１８は、収穫量記録装置１０１の収穫量記録処理手順の一例を示すフローチャートである。
【図１９】図１９は、収穫量記録装置１０１の圃場別選別結果表示処理手順の一例を示すフローチャートである。
【発明を実施するための形態】
【００１０】
以下に図面を参照して、本発明にかかる収穫量記録方法、収穫量記録プログラムおよび収穫量記録装置の実施の形態を詳細に説明する。
【００１１】
（収穫量記録方法の一実施例）
図１は、実施の形態にかかる収穫量記録方法の一実施例を示す説明図である。図１において、収穫量記録装置１０１は、圃場で生産された作物の収穫量を記録するコンピュータである。ここで、圃場は、作物を栽培、生育するための田畑、菜園などである。作物は、農業活動によって生産される物であり、例えば、大分類として穀類、野菜、果実、花卉などがある。
【００１２】
収穫量は、収穫された作物、すなわち、収穫物の量である。収穫量を表す単位としては、例えば、重量単位や収納単位が用いられる。重量単位は、収穫物の重量を測る単位である。重量単位としては、例えば、ｋｇ（キログラム）、ｔ（トン）、ｌｂ（ポンド）などがある。収納単位は、収穫物を収納する入れ物を数える単位である。収納単位としては、例えば、ケース、箱、コンテナ、パックなどがある。
【００１３】
収穫された作物は、選別されて出荷されることが多い。選別とは、作物の大きさ、重さ、色、つや、形、傷の有無などを基に分類することである。果実の選別は「選果」と呼ばれることがある。例えば、作物の大きさや重さに基づく分類は「階級」と呼ばれる。階級としては、例えば、Ｓ、Ｍ、Ｌ、２Ｌなどがある。また、作物の色、つや、形、傷の有無などに基づく分類は「等級」と呼ばれる。等級としては、例えば、良、優、秀などがある。階級と等級をあわせて「等階級」と呼ばれることもある。
【００１４】
ここで、農業経営において、圃場ごとの収支の情報を把握して、作業の見直しや作付け計画の見直しに役立てることは重要である。ただし、作物の単価は、階級や等級ごとに異なることが多い。このため、圃場ごとの収支の情報を把握するには、圃場で収穫された作物の分類ごとの収穫量を記録することが求められる。
【００１５】
ところが、特定の作物が複数の圃場で生産されることがあり、複数の圃場で生産された特定の作物について、各圃場の分類ごとの収穫量を得ることが困難な場合がある。
【００１６】
例えば、キャベツやレタスなどの大型野菜の場合、圃場で収穫するときに、その場で選別しながら収穫を行うことがある。このような場合、作業者が、複数の圃場を回って、ある分類の作物を収穫すると、ある分類について、複数の圃場の収穫量は得られても、圃場ごとの収穫量を得ることは難しくなる。例えば、階級「Ｌ」相当の大きさの作物だけを複数の圃場を通して収穫した場合、「Ｌ」の作物について複数の圃場分の合計収穫量は得られるが、圃場毎の「Ｌ」の作物の収穫量を得るのは難しい。また、複数の圃場で収穫された作物をまとめて選別機（あるいは、選果機）に投入して、作物の選別が行われることがある。このような場合も各圃場の分類ごとの収穫量を得ることは難しくなる。例えば、複数の圃場で収穫されたミカンをまとめて選果機に投入して、Ｓ，Ｍ，Ｌ等の階級に選別した場合、複数の圃場を通しての階級「Ｓ」のミカンの合計収穫量、階級「Ｍ」のミカンの合計収穫量、階級「Ｌ」のミカンの合計収穫量は得られる。しかし、圃場毎に、各階級のミカンの収穫量を得るのは難しい。
【００１７】
そこで、本実施の形態では、複数の圃場で生産された作物について、各圃場の分類ごとの大まかな収穫量を記録することができる収穫量記録方法について説明する。以下、実施の形態にかかる収穫量記録装置１０１の処理例について説明する。
【００１８】
ここでは、作業者が、圃場Ａ、圃場Ｂおよび圃場Ｃを回って、各圃場で収穫と選別とを同時に行いながらキャベツを収穫した場合を想定する。また、圃場Ａ、圃場Ｂおよび圃場Ｃの３圃場から、階級「２Ｌ」のキャベツが２００［ｋｇ］収穫され、階級「Ｌ」のキャベツが４００［ｋｇ］収穫され、階級「Ｍ」のキャベツが１２０［ｋｇ］収穫された場合を想定する。
【００１９】
（１）収穫量記録装置１０１は、複数の圃場のそれぞれで生産された特定の作物がいずれの圃場で生産されたかによらずに複数に分類された結果の、分類ごとの特定の作物の量を示す情報を受け付ける。ここで、分類とは、上述したように、例えば、作物の大きさや重さに基づく「階級」や、作物の色、つや、形、傷の有無などに基づく「等級」である。階級や等級以外でも、作物を複数に分類する指標を用いても構わない。また、特定の作物の量とは、特定の作物の収穫量である。
【００２０】
図１の例では、収穫量記録装置１０１は、階級「２Ｌ」のキャベツの量「２００［ｋｇ］」と、階級「Ｌ」のキャベツの量「４００［ｋｇ］」と、階級「Ｍ」のキャベツの量「１２０［ｋｇ］」とを示す情報を受け付ける。各階級のキャベツの量は、圃場Ａ、圃場Ｂおよび圃場Ｃの３圃場のそれぞれで生産されたキャベツがいずれの圃場で生産されたかによらずに複数に分類された結果である。
【００２１】
（２）収穫量記録装置１０１は、複数の圃場のそれぞれについて記憶部１１０に記憶されている特定の作物の栽培時の作付面積を参照して、分類ごとの特定の作物の量を、参照した複数の圃場のそれぞれの作付面積に応じて按分する。ここで、作付面積とは、作物を作付けする面積である。
【００２２】
図１の例では、圃場Ａについてのキャベツの栽培時の作付面積を２０［ａ（アール）］とし、圃場Ｂについてのキャベツの栽培時の作付面積を１０［ａ］とし、圃場Ｃについてのキャベツの栽培時の作付面積を１０［ａ］とする。
【００２３】
一例として、階級「Ｌ」のキャベツの量「４００［ｋｇ］」を按分する場合について説明する。この場合、収穫量記録装置１０１は、例えば、各圃場Ａ，Ｂ，Ｃの作付面積に比例して、階級「Ｌ」のキャベツの量「４００［ｋｇ］」を各圃場Ａ，Ｂ，Ｃに分配する。
【００２４】
この結果、圃場Ａに按分される階級「Ｌ」のキャベツの量は、２００［ｋｇ］（＝４００［ｋｇ］×２０［ａ］／（２０［ａ］＋１０［ａ］＋１０［ａ］））となる。また、圃場Ｂに按分される階級「Ｌ」のキャベツの量は、１００［ｋｇ］（＝４００［ｋｇ］×１０［ａ］／（２０［ａ］＋１０［ａ］＋１０［ａ］））となる。また、圃場Ｃに按分される階級「Ｌ」のキャベツの量は、１００［ｋｇ］（＝４００［ｋｇ］×１０［ａ］／（２０［ａ］＋１０［ａ］＋１０［ａ］））となる。
【００２５】
（３）収穫量記録装置１０１は、分類ごとの按分した後の各圃場に対応する量を、それぞれの圃場の識別子と対応付けて記憶する。具体的には、例えば、収穫量記録装置１０１は、圃場Ａに按分された階級「Ｌ」のキャベツの量「２００［ｋｇ］」を、圃場Ａの圃場名「Ａ」と対応付けて記憶部１１０に記憶する。
【００２６】
また、収穫量記録装置１０１は、圃場Ｂに按分された階級「Ｌ」のキャベツの量「１００［ｋｇ］」を、圃場Ｂの圃場名「Ｂ」と対応付けて記憶部１１０に記憶する。また、収穫量記録装置１０１は、圃場Ｃに按分された階級「Ｌ」のキャベツの量「１００［ｋｇ］」を、圃場Ｃの圃場名「Ｃ」と対応付けて記憶部１１０に記憶する。
【００２７】
このように、収穫量記録装置１０１によれば、複数の圃場で生産された分類ごとの特定の作物の量を、複数の圃場のそれぞれの作付面積に応じて按分することにより、各圃場の分類ごとの大まかな収穫量を求めることができる。これにより、複数の圃場で生産された特定の作物について、各圃場の分類ごとの大まかな収穫量を記録することができる。
【００２８】
図１の例では、圃場Ａ〜Ｃで生産されたキャベツについて、各圃場Ａ〜Ｃの階級ごとの大まかな収穫量を記録することができる。この結果、各圃場Ａ〜Ｃの収支の情報を大まかに把握することが可能となり、各圃場Ａ〜Ｃにおける作業の見直しや作付け計画の見直しに役立てることができる。
【００２９】
（農業支援システム２００のシステム構成例）
つぎに、図１に示した収穫量記録装置１０１を農業支援システム２００に適用した場合について説明する。
【００３０】
図２は、農業支援システム２００のシステム構成例を示す説明図である。図２において、農業支援システム２００は、収穫量記録装置１０１と、複数のクライアント装置２０１（図２では、２台）と、を含む構成である。農業支援システム２００において、収穫量記録装置１０１とクライアント装置２０１は、有線または無線のネットワーク２１０を介して接続される。ネットワーク２１０は、例えば、ＬＡＮ（Ｌｏｃａｌ  Ａｒｅａ  Ｎｅｔｗｏｒｋ）、ＷＡＮ（Ｗｉｄｅ  Ａｒｅａ  Ｎｅｔｗｏｒｋ）、インターネットなどである。
【００３１】
ここで、収穫量記録装置１０１は、生産計画ＤＢ（データベース）２２０、単位マスタ２３０、作物単価マスタ２４０および収穫量ＤＢ２５０を有し、圃場で生産された作物の収穫量を記録する。収穫量記録装置１０１は、例えば、サーバである。各種ＤＢ等２２０，２３０，２４０，２５０の記憶内容については、図５〜図８を用いて後述する。
【００３２】
クライアント装置２０１は、ディスプレイ（例えば、後述する図４に示すディスプレイ４０６）を有し、収穫量記録装置１０１の表示制御に従って、各種画面を表示可能なコンピュータである。クライアント装置２０１は、例えば、農業経営者や作業者が使用するＰＣ、ノートＰＣ、タブレット型ＰＣ、スマートフォンなどである。
【００３３】
具体的には、例えば、収穫量記録装置１０１は、クライアント装置２０１から各種画面の表示要求を受信すると、各種画面の画面情報をクライアント装置２０１に送信する。この結果、クライアント装置２０１のディスプレイに各種画面が表示される。
【００３４】
（収穫量記録装置１０１のハードウェア構成例）
図３は、収穫量記録装置１０１のハードウェア構成例を示すブロック図である。図３において、収穫量記録装置１０１は、ＣＰＵ（Ｃｅｎｔｒａｌ  Ｐｒｏｃｅｓｓｉｎｇ  Ｕｎｉｔ）３０１と、メモリ３０２と、Ｉ／Ｆ（Ｉｎｔｅｒｆａｃｅ）３０３と、ディスクドライブ３０４と、ディスク３０５と、を有する。また、各構成部は、バス３００によってそれぞれ接続される。
【００３５】
ここで、ＣＰＵ３０１は、収穫量記録装置１０１の全体の制御を司る。メモリ３０２は、例えば、ＲＯＭ（Ｒｅａｄ  Ｏｎｌｙ  Ｍｅｍｏｒｙ）、ＲＡＭ（Ｒａｎｄｏｍ  Ａｃｃｅｓｓ  Ｍｅｍｏｒｙ）およびフラッシュＲＯＭなどを有する。具体的には、例えば、フラッシュＲＯＭやＲＯＭが各種プログラムを記憶し、ＲＡＭがＣＰＵ３０１のワークエリアとして使用される。メモリ３０２に記憶されるプログラムは、ＣＰＵ３０１にロードされることで、コーディングされている処理をＣＰＵ３０１に実行させる。
【００３６】
Ｉ／Ｆ３０３は、通信回線を通じてネットワーク２１０に接続され、ネットワーク２１０を介して他のコンピュータ（例えば、図２に示したクライアント装置２０１）に接続される。そして、Ｉ／Ｆ３０３は、ネットワーク２１０と内部のインターフェースを司り、他のコンピュータからのデータの入出力を制御する。Ｉ／Ｆ３０３には、例えば、モデムやＬＡＮアダプタなどを採用することができる。
【００３７】
ディスクドライブ３０４は、ＣＰＵ３０１の制御に従ってディスク３０５に対するデータのリード／ライトを制御する。ディスク３０５は、ディスクドライブ３０４の制御で書き込まれたデータを記憶する。ディスク３０５としては、例えば、磁気ディスク、光ディスクなどが挙げられる。
【００３８】
なお、収穫量記録装置１０１は、上述した構成部のほか、例えば、ＳＳＤ（Ｓｏｌｉｄ  Ｓｔａｔｅ  Ｄｒｉｖｅ）、キーボード、マウス、ディスプレイなどを有することにしてもよい。
【００３９】
（クライアント装置２０１のハードウェア構成例）
図４は、クライアント装置２０１のハードウェア構成例を示すブロック図である。図４において、クライアント装置２０１は、ＣＰＵ４０１と、メモリ４０２と、ディスクドライブ４０３と、ディスク４０４と、Ｉ／Ｆ４０５と、ディスプレイ４０６と、入力装置４０７と、を有する。また、各構成部はバス４００によってそれぞれ接続される。
【００４０】
ここで、ＣＰＵ４０１は、クライアント装置２０１の全体の制御を司る。メモリ４０２は、例えば、ＲＯＭ、ＲＡＭおよびフラッシュＲＯＭなどを有する。具体的には、例えば、フラッシュＲＯＭやＲＯＭが各種プログラムを記憶し、ＲＡＭがＣＰＵ４０１のワークエリアとして使用される。メモリ４０２に記憶されるプログラムは、ＣＰＵ４０１にロードされることで、コーディングされている処理をＣＰＵ４０１に実行させる。
【００４１】
ディスクドライブ４０３は、ＣＰＵ４０１の制御に従ってディスク４０４に対するデータのリード／ライトを制御する。ディスク４０４は、ディスクドライブ４０３の制御で書き込まれたデータを記憶する。ディスク４０４としては、例えば、磁気ディスク、光ディスクなどが挙げられる。
【００４２】
Ｉ／Ｆ４０５は、通信回線を通じてネットワーク２１０に接続され、ネットワーク２１０を介して他のコンピュータ（例えば、図２に示した収穫量記録装置１０１）に接続される。そして、Ｉ／Ｆ４０５は、ネットワーク２１０と内部のインターフェースを司り、他のコンピュータからのデータの入出力を制御する。
【００４３】
ディスプレイ４０６は、カーソル、アイコンあるいはツールボックスをはじめ、文書、画像、機能情報などのデータを表示する。ディスプレイ４０６は、例えば、ＣＲＴ（Ｃａｔｈｏｄｅ  Ｒａｙ  Ｔｕｂｅ）、液晶ディスプレイ、有機ＥＬ（Ｅｌｅｃｔｒｏｌｕｍｉｎｅｓｃｅｎｃｅ）ディスプレイなどを採用することができる。
【００４４】
入力装置４０７は、文字、数字、各種指示などの入力のためのキーを有し、データの入力を行う。入力装置４０７は、キーボードやマウスなどであってもよく、また、タッチパネル式の入力パッドやテンキーなどであってもよい。
【００４５】
なお、クライアント装置２０１は、上述した構成部のうち、例えば、ディスクドライブ４０３、ディスク４０４などを有さないことにしてもよい。また、クライアント装置２０１は、上述した構成部のほか、例えば、ＳＳＤ、スキャナ、プリンタなどを有することにしてもよい。
【００４６】
（各種ＤＢ等２２０，２３０，２４０，２５０の記憶内容）
つぎに、図５〜図８を用いて各種ＤＢ等２２０，２３０，２４０，２５０の記憶内容について説明する。各種ＤＢ等２２０，２３０，２４０，２５０は、例えば図３に示した収穫量記録装置１０１のメモリ３０２、ディスク３０５などの記憶装置により実現される。
【００４７】
＜生産計画ＤＢ２２０の記憶内容＞
図５は、生産計画ＤＢ２２０の記憶内容の一例を示す説明図である。図５において、生産計画ＤＢ２２０は、圃場名、品目、品種、作型および作付面積のフィールドを有する。各フィールドに情報を設定することで、生産計画情報（例えば、生産計画情報５００−１〜５００−３）がレコードとして記憶される。
【００４８】
ここで、生産計画とは、生産対象となる作物を、どの圃場にどのくらい作付けするのかの計画である。各圃場における作物の栽培は、生産計画に沿って行われる。圃場名は、圃場の名称である。圃場名として、例えば、１つの圃場を区切って分割した区画の名称である分筆名称を用いることにしてもよい。品目は、作物の種類である。品目としては、例えば、トマト、きゅうり、水稲、キャベツなどがある。
【００４９】
品種は、同一品目の中の種類である。例えば、キャベツの品種として、夏蒔きの品種であれば「彩風」「グリーンボール」、春蒔きの品種であれば「中早生２号」「中早生３号」「秋早生」「新風」などがある。作型は、作物の栽培を行うときの条件や技術の組み合わせを示す体系である。作型としては、例えば、ハウス栽培、露地栽培、夏蒔き栽培などがある。作付面積は、作物を作付けする面積である。
【００５０】
例えば、生産計画情報５００−１は、圃場「蒲田−１」に作付けされる作物の品目「キャベツ」、品種「○×」、作型「△△栽培」および作付面積「２０［ａ］」を示す。
【００５１】
なお、生産計画ＤＢ２２０には、上述した情報のほかに、例えば、各圃場の収穫計画、収穫実績、予定反収、実績反収などの情報が記憶される。収穫計画は、目標となる作物の収穫量を示す。収穫実績は、圃場で収穫された作物の収穫量を示す。予定反収は、目標となる作物の反収を示す。実績反収は、圃場で収穫された作物の反収を示す。なお、反収とは、田畑１反当たりの作物の収穫高である。反収は、１反当たりに代えて、１０ａ（アール）当たりで表現されることもある。
【００５２】
＜単位マスタ２３０の記憶内容＞
図６は、単位マスタ２３０の記憶内容の一例を示す説明図である。図６において、単位マスタ２３０は、品目、収納単位およびｋｇ換算値のフィールドを有する。各フィールドに情報を設定することで、単位情報（例えば、単位情報６００−１〜６００−３）がレコードとして記憶される。
【００５３】
ここで、品目は、作物の種類である。収納単位は、収穫作業や選別作業において用いられる収穫物を収納する入れ物を数える単位である。ｋｇ換算値は、作物の収穫量を収納単位で示す値を、重量単位であるｋｇに換算する際に適用する換算比率を示す。例えば、単位情報６００−１は、キャベツの収穫量をケース単位で示す値を、ｋｇに換算する際に適用する換算比率「１０．０」を示す。
【００５４】
なお、図６の例では、作物の品目に対応付けて、収納単位およびｋｇ換算値が記憶されることにしたが、これに限らない。例えば、作物の品目、品種および作型の組み合わせに対応付けて、収納単位およびｋｇ換算値が記憶されることにしてもよい。
【００５５】
＜作物単価マスタ２４０の記憶内容＞
図７は、作物単価マスタ２４０の記憶内容の一例を示す説明図である。図７において、作物単価マスタ２４０は、品目、規格、サイズおよび単価のフィールドを有する。各フィールドに情報を設定することで、単価情報（例えば、単価情報７００−１〜７００−４）がレコードとして記憶される。
【００５６】
ここで、品目は、作物の種類である。規格は、作物の色、つや、形、傷の有無などに基づく分類を示しており、上述した「等級」に対応する。サイズは、作物の大きさや重さに基づく分類を示しており、上述した「階級」に対応する。単価は、１ｋｇ当たりの作物の価格である。例えば、単価情報７００−１は、規格「秀」・サイズ「Ｌ」のキャベツの単価「７５円／ｋｇ」を示す。
【００５７】
なお、図７の例では、作物の品目に対応付けて、規格、サイズおよび単価が記憶されることにしたが、これに限らない。例えば、作物の品目、品種および作型の組み合わせに対応付けて、規格、サイズおよび単価が記憶されることにしてもよい。
【００５８】
＜収穫量ＤＢ２５０の記憶内容＞
図８は、収穫量ＤＢ２５０の記憶内容の一例を示す説明図である。図８において、収穫量ＤＢ２５０は、ロットＩＤ、ロット名、品目、合計［ｋｇ］、圃場名、規格、サイズ、出来高［ｋｇ］、比率［％］、合計出来高［ｋｇ］、価格［円］および合計価格［円］のフィールドを有する。各フィールドに情報を設定することで、収穫量情報（例えば、収穫量情報８００−１）がレコードとして記憶される。
【００５９】
ここで、ロットＩＤは、選別ロットを一意に識別する識別子である。選別ロットとは、圃場グループで生産された特定の作物の選別結果を示す。圃場グループは、１以上の圃場を含む。ロット名は、選別ロットの名称である。品目は、圃場グループのそれぞれの圃場で生産された特定の作物の種類である。合計［ｋｇ］は、圃場グループのそれぞれの圃場で生産された作物の収穫量の合計量を重量単位で示す。
【００６０】
圃場名は、圃場グループに含まれる圃場の名称である。規格は、上述した「等級」に対応する。サイズは、上述した「階級」に対応する。出来高［ｋｇ］は、圃場で生産された特定の作物の分類ごとの収穫量を重量単位で示す。ここでの分類は、規格（等級）とサイズ（階級）との組み合わせ（等階級）である。
【００６１】
比率［％］は、圃場で生産された特定の作物の分類ごとの収穫量の合計量、すなわち、圃場で生産された特定の作物の収穫量に対する、当該作物の分類ごとの収穫量の割合を示す。合計出来高［ｋｇ］は、圃場で生産された特定の作物の収穫量を重量単位で示す。価格［円］は、圃場で生産された特定の作物の分類ごとの収穫量に対応する価格である。
【００６２】
合計価格［円］は、圃場で生産された特定の作物の分類ごとの収穫量に対応する価格の合算値、すなわち、圃場で生産された特定の作物の収穫量に対応する価格である。なお、図示は省略するが、収穫量情報には、例えば、圃場グループで生産された特定の作物の選別が行われた選別日を示す情報が含まれることにしてもよい。
【００６３】
（圃場選択画面の画面例）
つぎに、クライアント装置２０１のディスプレイ４０６に表示される圃場選択画面の画面例について説明する。以下の説明では、操作画面に表示されている項目等をユーザが選択する操作として、クリック操作を行う場合を例に挙げて説明する。
【００６４】
図９は、圃場選択画面の画面例を示す説明図である。図９において、圃場選択画面９００は、圃場グループのそれぞれの圃場で生産された特定の作物がいずれの圃場で生産されたかによらずに複数に分類された結果の、分類ごとの特定の作物の収穫量の入力を行う操作画面である。
【００６５】
圃場選択画面９００において、図４に示した入力装置４０７を用いたユーザの操作入力により、アイコン９０１をクリックすると、圃場グループで生産された特定の作物の選別を行った選別日を入力することができる。図９の例では、選別日「２０１４年７月１日」が入力されている。
【００６６】
また、圃場選択画面９００において、アイコン９０２をクリックすると、圃場グループに含まれる圃場を選択することができる。図９の例では、圃場「蒲田−１」と圃場「蒲田−２」とが選択されている。なお、アイコン９０２をクリックして選択可能な選択肢には、圃場の圃場名のほかに、例えば、圃場で生産された作物の品目、品種および栽培時の作付面積が含まれている。
【００６７】
また、圃場選択画面９００において、ボックス９０３をクリックすると、選別ロットのロットＩＤを入力することができる。図９の例では、ロットＩＤ「Ｌ１」が入力されている。ただし、ロットＩＤは自動採番されることにしてもよい。また、圃場選択画面９００において、ボックス９０４をクリックすると、選別ロットのロット名を入力することができる。図９の例では、ロット名「７月１日ＡＭ選別品（生食キャベツ）」が入力されている。
【００６８】
また、圃場選択画面９００において、アイコン９０５〜９０８をクリックすると、圃場グループで生産された作物の規格を選択することができる。図９の例では、例えば、アイコン９０５がクリックされて、圃場グループで生産された作物の規格「秀」が選択されている。
【００６９】
また、圃場選択画面９００において、アイコン９０９〜９１２をクリックすると、圃場グループで生産された作物のサイズを選択することができる。図９の例では、例えば、アイコン９０９がクリックされて、圃場グループで生産された作物のサイズ「Ｌ」が選択されている。
【００７０】
また、圃場選択画面９００において、ボックス９１３〜９１６をクリックすると、圃場グループで生産された作物の分類ごとの収穫量を収納単位で示す値を入力することができる。図９の例では、例えば、ボックス９１３がクリックされて、圃場グループで生産された作物の規格「秀」・サイズ「Ｌ」の収穫量をケース単位で示す値「１２０」が入力されている。
【００７１】
また、圃場選択画面９００において、アイコン９１７〜９２０をクリックすると、圃場グループで生産された作物の収納単位を選択することができる。図９の例では、例えば、アイコン９１７がクリックされて、圃場グループで生産された作物の収納単位「ケース」が選択されている。
【００７２】
また、圃場選択画面９００において、ボックス９２１〜９２４をクリックすると、圃場グループで生産された作物の分類ごとの収穫量を重量単位で示す値を入力することができる。ただし、ボックス９１３〜９１６に値（出来高）が入力されると、入力された値をｋｇ換算した値（出来高（ｋｇ））がボックス９２１〜９２４に自動入力されることにしてもよい。図９の例では、例えば、ボックス９１３に入力された値「１２０」をｋｇ換算した値「１，２００」がボックス９２１に入力されている。
【００７３】
また、ボックス９２１〜９２４に値（出来高（ｋｇ））が入力されると、入力された値の合計値（合計）がボックス９２５に表示される。図９の例では、ボックス９２１〜９２４に入力された値の合計値「４，５００ｋｇ」がボックス９２５に入力されている。
【００７４】
また、圃場選択画面９００において、明細追加ボタン９２６をクリックすると、規格、サイズ、出来高、単位、出来高（ｋｇ）を入力するための行を追加することができる。
【００７５】
また、圃場選択画面９００において、登録ボタン９２７をクリックすると、圃場選択画面９００で入力された結果を含む選別情報が収穫量記録装置１０１に送信される。この結果、圃場グループのそれぞれの圃場で生産された特定の作物について、各圃場の分類ごとの収穫量を記録することができる。
【００７６】
（収穫量記録装置１０１の機能的構成例）
図１０は、収穫量記録装置１０１の機能的構成例を示すブロック図である。図１０において、収穫量記録装置１０１は、受付部１００１と、算出部１００２と、出力部１００３と、作成部１００４と、を含む構成である。受付部１００１〜作成部１００４は制御部となる機能であり、具体的には、例えば、図３に示したメモリ３０２、ディスク３０５などの記憶装置に記憶されたプログラムをＣＰＵ３０１に実行させることにより、または、Ｉ／Ｆ３０３により、その機能を実現する。各機能部の処理結果は、例えば、メモリ３０２、ディスク３０５などの記憶装置に記憶される。
【００７７】
受付部１００１は、圃場グループで生産された特定の作物の分類ごとの収穫量を示す選別情報を受け付ける。ここで、特定の作物の分類ごとの収穫量は、圃場グループのそれぞれの圃場で生産された特定の作物がいずれの圃場で生産されたかによらずに複数に分類された結果である。
【００７８】
選別情報の入力は、例えば、圃場選択画面９００（図９参照）において、クライアント装置２０１のユーザの操作入力により行われる。クライアント装置２０１は、入力された選別情報を収穫量記録装置１０１に送信する。この場合、受付部１００１は、クライアント装置２０１から選別情報を受信する。
【００７９】
選別情報には、例えば、選別日、圃場グループに含まれる圃場の圃場名、選別ロットのロットＩＤ、ロット名、特定の作物の品目、品種および圃場グループで生産された特定の作物の分類ごとの収穫量を示す情報が含まれる。収穫量は、重量単位または収納単位のいずれの単位で表されていてもよい。
【００８０】
なお、受付部１００１は、例えば、圃場グループで生産された特定の作物の選別が行われた選別機（あるいは、選果機）に接続された他のシステムから、圃場グループで生産された特定の作物の分類ごとの収穫量を示す選別情報を受け付けることにしてもよい。
【００８１】
算出部１００２は、受け付けられた選別情報に基づいて、圃場グループに含まれる各圃場の分類ごとの収穫量を算出する。具体的には、例えば、まず、算出部１００２は、生産計画ＤＢ２２０（図５参照）を参照して、圃場グループに含まれる各圃場の圃場名に対応する特定の作物の栽培時の作付面積を特定する。そして、算出部１００２は、圃場グループで生産された特定の作物の分類ごとの収穫量を、特定した各圃場の作付面積に応じて按分することにより、各圃場の分類ごとの収穫量を算出する。
【００８２】
また、圃場グループで生産された特定の作物の分類ごとの収穫量が収納単位で表されている場合がある。この場合、算出部１００２は、単位マスタ２３０（図６参照）を参照して、特定の作物の分類ごとの収穫量を、重量単位であるｋｇに換算することにしてもよい。なお、各圃場の分類ごとの収穫量の算出例については、図１２を用いて後述する。
【００８３】
出力部１００３は、算出された各圃場の分類ごとの収穫量を出力する。出力部１００３の出力形式としては、例えば、メモリ３０２、ディスク３０５などの記憶装置への記憶、Ｉ／Ｆ３０３による外部のコンピュータ（例えば、クライアント装置２０１）への送信、不図示のプリンタへの印刷出力などがある。
【００８４】
具体的には、例えば、出力部１００３は、分類ごとの按分した後の各圃場に対応する収穫量を出来高［ｋｇ］（あるいは、収納単位の出来高）として、それぞれの圃場の識別子と対応付けて収穫量ＤＢ２５０（図８参照）に記憶する。圃場の識別子は、例えば、圃場の圃場名である。
【００８５】
また、算出部１００２は、圃場ごとに按分された分類ごとの特定の作物の収穫量の合計量を算出することにしてもよい。この合計量は、圃場で生産された特定の作物の収穫量に相当する。なお、特定の作物の収穫量の合計量の算出例については、図１２を用いて後述する。
【００８６】
この場合、出力部１００３は、算出された特定の作物の収穫量の合計量を出力することにしてもよい。具体的には、例えば、出力部１００３は、算出された合計量を合計出来高［ｋｇ］（あるいは、収納単位の合計出来高）として、圃場の識別子と対応付けて収穫量ＤＢ２５０に記憶することにしてもよい。
【００８７】
ただし、収穫量ＤＢ２５０には、作業者の手入力などにより、圃場の合計出来高［ｋｇ］が既に記憶されている場合がある。この場合、収穫量記録装置１０１は、既に記憶されている値と、算出された合計量とのいずれを合計出来高［ｋｇ］として記憶するのかの選択を受け付けることにしてもよい。
【００８８】
また、算出部１００２は、圃場ごとに、分類ごとの特定の作物の単位量当たりの価格と、按分された分類ごとの特定の作物の収穫量とに基づいて、分類ごとの特定の作物の価格を算出することにしてもよい。この価格は、圃場で生産された分類ごとの特定の作物を販売することにより得られる金額に相当する。
【００８９】
この場合、出力部１００３は、算出された分類ごとの特定の作物の価格を出力することにしてもよい。具体的には、例えば、出力部１００３は、算出された分類ごとの特定の作物の価格を、圃場の識別子と対応付けて収穫量ＤＢ２５０に記憶することにしてもよい。
【００９０】
また、算出部１００２は、算出した分類ごとの特定の作物の価格を合算することにより、圃場ごとの合算値を算出することにしてもよい。この合算値は、圃場で生産された特定の作物を販売することにより得られる金額に相当する。なお、圃場ごとの合算値の算出例については、図１３を用いて後述する。
【００９１】
この場合、出力部１００３は、算出された圃場ごとの合算値を出力することにしてもよい。具体的には、例えば、出力部１００３は、算出された圃場ごとの合算値を合計価格［円］として、圃場の識別子と対応付けて収穫量ＤＢ２５０に記憶することにしてもよい。
【００９２】
また、算出部１００２は、圃場ごとに按分された分類ごとの特定の作物の収穫量の合計量に対する、圃場ごとに按分された分類ごとの特定の作物の収穫量の割合を算出することにしてもよい。この割合は、各圃場で分類ごとの特定の作物がどのような比率で収穫されたのかを判断する際の指標となる。なお、分類ごとの特定の作物の収穫量の割合の算出例については、図１４を用いて後述する。
【００９３】
この場合、出力部１００３は、算出された分類ごとの特定の作物の収穫量の割合を出力することにしてもよい。具体的には、例えば、出力部１００３は、算出された分類ごとの特定の作物の収穫量の割合を比率［％］として、圃場の識別子と対応付けて収穫量ＤＢ２５０に記憶することにしてもよい。
【００９４】
また、受付部１００１は、圃場の識別子の指定を受け付けることにしてもよい。ここで指定される圃場の識別子は、例えば、特定の作物の分類ごとの収穫量の出力対象となる圃場の識別子である。圃場の識別子の指定は、例えば、後述の図１５に示す圃場別選別結果画面１５００において、クライアント装置２０１のユーザの操作入力により行われる。クライアント装置２０１は、入力された入力結果を収穫量記録装置１０１に送信する。この場合、受付部１００１は、クライアント装置２０１から入力結果を受信することにより、圃場の識別子の指定を受け付けることにしてもよい。
【００９５】
作成部１００４は、指定された圃場で生産された特定の作物の分類ごとの収穫量を示す圃場別選別結果情報を作成する。具体的には、例えば、まず、作成部１００４は、収穫量ＤＢ２５０から、指定された圃場の識別子に対応する収穫量情報を読み出す。そして、作成部１００４は、読み出した収穫量情報に基づいて、後述の図１５の下側に示すような圃場別選別結果画面１５００の画面情報を作成することにしてもよい。
【００９６】
また、出力部１００３は、作成された圃場別選別結果情報を出力する。具体的には、例えば、出力部１００３は、作成された圃場別選別結果画面１５００の画面情報をクライアント装置２０１に送信することにより、クライアント装置２０１のディスプレイ４０６に圃場別選別結果画面１５００を表示する制御を行うことにしてもよい。
【００９７】
また、作成部１００４は、圃場で生産された分類ごとの特定の作物の収穫量の割合を示すグラフを作成することにしてもよい。グラフは、例えば、円グラフ、棒グラフなどである。具体的には、例えば、作成部１００４は、圃場で生産された分類ごとの特定の作物の収穫量の割合を示す円グラフ（例えば、後述の図１６に示す円グラフ１６０１）を作成することにしてもよい。
【００９８】
この場合、出力部１００３は、作成されたグラフを出力することにしてもよい。具体的には、例えば、出力部１００３は、後述の図１６に示すような、円グラフ１６０１を含む比率画面１６００を、クライアント装置２０１のディスプレイ４０６に表示する制御を行うことにしてもよい。
【００９９】
（収穫量ＤＢ２５０の記憶内容の変遷例）
つぎに、図１１〜図１４を用いて、図９に示した圃場選択画面９００において入力された選別情報を受け付けた場合を例に挙げて、収穫量ＤＢ２５０の記憶内容の変遷例について説明する。
【０１００】
図１１〜図１４は、収穫量ＤＢ２５０の記憶内容の変遷例を示す説明図である。まず、受付部１００１は、受け付けた選別情報に基づいて、選別ロットのロットＩＤ、ロット名、特定の作物の品目、合計［ｋｇ］、圃場グループに含まれる圃場の圃場名を各フィールドに情報を設定する（図１１参照）。
【０１０１】
この結果、収穫量情報８００−１が新たなレコードとして収穫量ＤＢ２５０に記憶される。ただし、この時点では、収穫量情報８００−１の規格、サイズ、出来高［ｋｇ］、比率［％］、合計出来高［ｋｇ］、価格［円］および合計価格［円］のフィールドは未設定である。
【０１０２】
＜出来高［ｋｇ］＞
つぎに、算出部１００２は、選別情報に基づいて、圃場グループに含まれる各圃場の分類ごとの収穫量を算出する。一例として、圃場グループで生産された規格「秀」・サイズ「Ｌ」のキャベツの収穫量を按分する場合について説明する。ただし、収穫量が収納単位（図９の例では、ケース）で表されている場合を想定する。
【０１０３】
この場合、算出部１００２は、単位マスタ２３０を参照して、品目「キャベツ」、収納単位「ケース」に対応するｋｇ換算値「１０．０」を特定する。そして、算出部１００２は、規格「秀」・サイズ「Ｌ」のキャベツの収穫量「１２０［ケース］」に、特定したｋｇ換算値「１０．０」を乗算することにより、ｋｇ単位の収穫量「１，２００［ｋｇ］」を求める。
【０１０４】
つぎに、算出部１００２は、生産計画ＤＢ２２０を参照して、圃場グループに含まれる圃場の圃場名「蒲田−１」に対する品目「キャベツ」、品種「○×」の作物の栽培時の作付面積「２０［ａ］」を特定する。また、算出部１００２は、生産計画ＤＢ２２０を参照して、圃場グループに含まれる圃場の圃場名「蒲田−２」に対する品目「キャベツ」、品種「○×」の作物の栽培時の作付面積「３０［ａ］」を特定する。
【０１０５】
そして、算出部１００２は、圃場グループで収穫された規格「秀」・サイズ「Ｌ」のキャベツの収穫量「１，２００［ｋｇ］」を、特定した各圃場の作付面積に応じて按分することにより、各圃場の規格「秀」・サイズ「Ｌ」の収穫量を算出する。ここでは、圃場「蒲田−１」の規格「秀」・サイズ「Ｌ」の収穫量は、「４８０［ｋｇ］」となる。また、圃場「蒲田−２」の規格「秀」・サイズ「Ｌ」の収穫量は、「７２０［ｋｇ］」となる。
【０１０６】
この場合、出力部１００３は、算出された規格「秀」・サイズ「Ｌ」の収穫量「４８０［ｋｇ］」を出来高［ｋｇ］として、圃場名「蒲田−１」と対応付けて収穫量情報８００−１に設定する。また、出力部１００３は、算出された規格「秀」・サイズ「Ｌ」の収穫量「７２０［ｋｇ］」を出来高［ｋｇ］として、圃場名「蒲田−２」と対応付けて収穫量情報８００−１に設定する（図１２参照）。
【０１０７】
＜合計出来高［ｋｇ］＞
つぎに、算出部１００２は、圃場ごとに按分された分類ごとのキャベツの収穫量の合計量を算出する。例えば、算出部１００２は、圃場「蒲田−１」の分類ごとのキャベツの出来高［ｋｇ］の合計量「１，８００［ｋｇ］」を算出する。この場合、出力部１００３は、算出された合計量「１，８００［ｋｇ］」を合計出来高［ｋｇ］として、圃場名「蒲田−１」と対応付けて収穫量情報８００−１に設定する（図１２参照）。
【０１０８】
＜価格［円］＞
つぎに、算出部１００２は、圃場ごとに、分類ごとのキャベツの価格を算出する。具体的には、例えば、算出部１００２は、作物単価マスタ２４０を参照して、規格「秀」・サイズ「Ｌ」のキャベツの単価「７５円／ｋｇ」を特定する。そして、算出部１００２は、圃場「蒲田−１」の規格「秀」・サイズ「Ｌ」の出来高「４８０［ｋｇ］」に、特定した単価「７５円／ｋｇ」を乗算することにより、規格「秀」・サイズ「Ｌ」のキャベツの価格「３６，０００［円］」を算出する。この場合、出力部１００３は、算出された規格「秀」・サイズ「Ｌ」の価格「３６，０００［円］」を、圃場名「蒲田−１」と対応付けて収穫量情報８００−１に設定する（図１３参照）。
【０１０９】
＜合計価格［円］＞
つぎに、算出部１００２は、算出した分類ごとのキャベツの価格を合算することにより、圃場ごとの合算値を算出する。具体的には、例えば、算出部１００２は、圃場「蒲田−１」の分類ごとのキャベツの価格を合算することにより、圃場「蒲田−１」の合算値「１２２，４００［円］」を算出する。この場合、出力部１００３は、算出された合算値「１２２，４００［円］」を合計価格［円］として、圃場名「蒲田−１」と対応付けて収穫量情報８００−１に設定する（図１３参照）。
【０１１０】
＜比率［％］＞
つぎに、算出部１００２は、圃場ごとの合計出来高［ｋｇ］に対する、圃場ごとに按分された分類ごとのキャベツの出来高［ｋｇ］の割合を算出する。具体的には、例えば、算出部１００２は、圃場「蒲田−１」の合計出来高「１，８００［ｋｇ］」に対する、圃場「蒲田−１」の規格「秀」・サイズ「Ｌ」のキャベツの出来高「４８０［ｋｇ］」の割合「２７［％］」を算出する。この場合、出力部１００３は、算出された規格「秀」・サイズ「Ｌ」の割合「２７［％］」を比率［％］として、圃場名「蒲田−１」と対応付けて収穫量情報８００−１に設定する（図１４参照）。
【０１１１】
（圃場別選別結果画面の画面例）
つぎに、クライアント装置２０１のディスプレイ４０６に表示される圃場別選別結果画面の画面例について説明する。
【０１１２】
図１５は、圃場別選別結果画面の画面例を示す説明図（その１）である。図１５において、圃場別選別結果画面１５００は、圃場で生産された特定の作物の分類ごとの収穫量を表示するための画面である。
【０１１３】
圃場別選別結果画面１５００において、入力装置４０７を用いたユーザの操作入力により、ボックス１５０１をクリックすると、特定の作物の分類ごとの収穫量の出力対象となる圃場の圃場名を入力することができる。図１５の例では、ボックス１５０１に圃場名「蒲田−１」が入力されている。
【０１１４】
圃場別選別結果画面１５００において、検索ボタン１５０２をクリックすると、圃場「蒲田−１」で生産された特定の作物の分類ごとの収穫量を表示することができる。
【０１１５】
図１５の例では、検索ボタン１５０２がクリックされた結果、圃場別選別結果画面１５００に、選別ロット「Ｌ１」および選別ロット名「７月１日ＡＭ選別品（生食キャベツ）」が表示されている。これにより、ユーザは、どの圃場グループで生産された何の作物についての選別結果であるかを特定することができる。
【０１１６】
また、圃場別選別結果画面１５００には、圃場「蒲田−１」の収穫計画「４，０００ｋｇ」、収穫実績「１，８００ｋｇ」、予定反収「２，０００ｋｇ／１０ａ」および実績反収「９００ｋｇ／１０ａ」が表示されている。
【０１１７】
これにより、ユーザは、圃場「蒲田−１」で生産するキャベツの収穫計画「４，０００ｋｇ」に対する収穫実績「１，８００ｋｇ」を把握することができる。この収穫実績「１，８００ｋｇ」は、圃場ごとに面積按分された分類ごとのキャベツの収穫量の合計量に相当する。
【０１１８】
また、ユーザは、圃場「蒲田−１」で生産するキャベツの予定反収「２，０００ｋｇ／１０ａ」に対する実績反収「９００ｋｇ／１０ａ」を把握することができる。この実績反収「９００ｋｇ／１０ａ」は、圃場ごとに面積按分された分類ごとのキャベツの収穫量の合計量に基づく反収である。例えば、異なる圃場グループ間で圃場同士の実績反収を比較することで、圃場への作付け作物の相性を判断することができる。
【０１１９】
また、圃場別選別結果画面１５００には、圃場「蒲田−１」で生産されたキャベツについて、分類ごとの収穫量として、収納単位で収穫量を表す「出来高」と、重量単位で収穫量を表す「出来高［ｋｇ］」とが表示されている。例えば、圃場「蒲田−１」で収穫された規格「秀」・サイズ「Ｌ」のキャベツの収穫量として、出来高「４８［ケース］」と出来高「４８０［ｋｇ］」とが表示されている。これにより、ユーザは、圃場「蒲田−１」で生産されたキャベツについて、分類（規格・サイズ）ごとの出来高を把握することができる。
【０１２０】
また、圃場別選別結果画面１５００には、圃場「蒲田−１」で生産されたキャベツの合計出来高「１，８００［ｋｇ］」と合計価格「１２２，４００［円］」とが表示されている。これにより、ユーザは、圃場「蒲田−１」で生産されたキャベツの合計出来高「１，８００［ｋｇ］」と合計価格「１２２，４００［円］」を把握することができる。
【０１２１】
また、圃場別選別結果画面１５００において、比率ボタン１５０３をクリックすると、図１６に示すような比率画面１６００を、ディスプレイ４０６にポップアップ表示することができる。
【０１２２】
図１６は、比率画面の画面例を示す説明図である。図１６において、比率画面１６００には、圃場「蒲田−１」で生産されたキャベツについて、分類ごとの収穫量の割合を示す円グラフ１６０１が表示されている。円グラフ１６０１によれば、圃場「蒲田−１」で分類（規格・サイズ）ごとのキャベツがどのような比率で収穫されたのかを判断することができる。これにより、ユーザは、例えば、予定通りの割合で各分類（規格・サイズ）のキャベツが圃場「蒲田−１」で生産できたか否かを評価することができる。
【０１２３】
図１７は、圃場別選別結果画面の画面例を示す説明図（その２）である。圃場別選別結果画面１５００において、入力装置４０７を用いたユーザの操作入力により、ボックス１５０１をクリックすると、特定の作物の分類ごとの収穫量の出力対象となる圃場の圃場名を入力することができる。図１７の例では、ボックス１５０１に圃場名「蒲田−２」が入力されている。
【０１２４】
圃場別選別結果画面１５００において、検索ボタン１５０２をクリックすると、圃場「蒲田−２」で生産された特定の作物の分類ごとの収穫量を表示することができる。
【０１２５】
図１７の例では、検索ボタン１５０２がクリックされた結果、圃場別選別結果画面１５００に、選別ロット「Ｌ１」および選別ロット名「７月１日ＡＭ選別品（生食キャベツ）」が表示されている。これにより、ユーザは、どの圃場グループで生産された何の作物についての選別結果であるかを特定することができる。
【０１２６】
また、圃場別選別結果画面１５００には、圃場「蒲田−２」の収穫計画「６，０００ｋｇ」、収穫実績「２，７００ｋｇ」、予定反収「２，０００ｋｇ／１０ａ」および実績反収「９００ｋｇ／１０ａ」が表示されている。
【０１２７】
これにより、ユーザは、圃場「蒲田−２」で生産するキャベツの収穫計画「６，０００ｋｇ」に対する収穫実績「２，７００ｋｇ」を把握することができる。この収穫実績「２，７００ｋｇ」は、圃場ごとに面積按分された分類ごとのキャベツの収穫量の合計量に相当する。
【０１２８】
また、ユーザは、圃場「蒲田−２」で生産するキャベツの予定反収「２，０００ｋｇ／１０ａ」に対する実績反収「９００ｋｇ／１０ａ」を把握することができる。この実績反収「９００ｋｇ／１０ａ」は、圃場ごとに面積按分された分類ごとのキャベツの収穫量の合計量に基づく反収である。
【０１２９】
また、圃場別選別結果画面１５００には、圃場「蒲田−２」で生産されたキャベツについて、分類ごとの収穫量として、収納単位で収穫量を表す「出来高」と、重量単位で収穫量を表す「出来高［ｋｇ］」とが表示されている。例えば、圃場「蒲田−２」で生産された規格「秀」・サイズ「Ｌ」のキャベツの収穫量として、出来高「７２［ケース］」と出来高「７２０［ｋｇ］」とが表示されている。これにより、ユーザは、圃場「蒲田−２」で生産されたキャベツについて、分類（規格・サイズ）ごとの出来高を把握することができる。
【０１３０】
また、圃場別選別結果画面１５００には、圃場「蒲田−２」で生産されたキャベツの合計出来高「２，７００［ｋｇ］」と合計価格「１８３，６００［円］」とが表示されている。これにより、ユーザは、圃場「蒲田−２」で生産されたキャベツの合計出来高「２，７００［ｋｇ］」と合計価格「１８３，６００［円］」を把握することができる。
【０１３１】
（収穫量記録装置１０１の収穫量記録処理手順）
つぎに、収穫量記録装置１０１の収穫量記録処理手順について説明する。
【０１３２】
図１８は、収穫量記録装置１０１の収穫量記録処理手順の一例を示すフローチャートである。図１８のフローチャートにおいて、まず、収穫量記録装置１０１は、圃場グループで生産された特定の作物の分類ごとの収穫量を示す選別情報を受け付けたか否かを判断する（ステップＳ１８０１）。
【０１３３】
ここで、収穫量記録装置１０１は、選別情報を受け付けるのを待つ（ステップＳ１８０１：Ｎｏ）。そして、収穫量記録装置１０１は、選別情報を受け付けた場合（ステップＳ１８０１：Ｙｅｓ）、生産計画ＤＢ２２０を参照して、圃場グループに含まれる各圃場の特定の作物の栽培時の作付面積を特定する（ステップＳ１８０２）。
【０１３４】
つぎに、収穫量記録装置１０１は、圃場グループで生産された特定の作物の分類ごとの収穫量を、特定した各圃場の作付面積に応じて按分することにより、各圃場の分類ごとの特定の作物の収穫量を算出する（ステップＳ１８０３）。そして、収穫量記録装置１０１は、圃場グループに含まれる圃場ごとに、算出した各圃場の分類ごとの特定の作物の収穫量の合計量を算出する（ステップＳ１８０４）。
【０１３５】
つぎに、収穫量記録装置１０１は、作物単価マスタ２４０を参照して、分類ごとの特定の作物の単価を特定する（ステップＳ１８０５）。そして、収穫量記録装置１０１は、圃場グループに含まれる圃場ごとに、特定した分類ごとの特定の作物の単価と、算出した分類ごとの特定の作物の収穫量とに基づいて、各圃場の分類ごとの特定の作物の価格を算出する（ステップＳ１８０６）。
【０１３６】
つぎに、収穫量記録装置１０１は、圃場グループに含まれる圃場ごとに、算出した分類ごとの特定の作物の価格を合算することにより、圃場ごとの合算値を算出する（ステップＳ１８０７）。つぎに、収穫量記録装置１０１は、圃場グループに含まれる圃場ごとに、算出した分類ごとの特定の作物の収穫量の合計量に対する、算出した分類ごとの特定の作物の収穫量の割合を算出する（ステップＳ１８０８）。
【０１３７】
そして、収穫量記録装置１０１は、ステップＳ１８０３，Ｓ１８０４，Ｓ１８０６〜Ｓ１８０８において算出した算出結果を、各圃場の圃場名と対応付けて収穫量ＤＢ２５０に記憶して（ステップＳ１８０９）、本フローチャートによる一連の処理を終了する。これにより、圃場グループごとの収穫量情報を収穫量ＤＢ２５０に記録することができる。
【０１３８】
なお、ステップＳ１８０３における各圃場の作付面積に応じて収穫量を按分する処理は、作付面積に加えて、各圃場と対応付けられている他の情報を利用して収穫量を按分するように変更することもできる。例えば、単位面積当たりの作付株数の情報が各圃場と対応付けて記憶されていれば、この情報を利用してもよい。二つの圃場が同じ作付面積であっても、単位面積当たりの作付け株数が異なれば、収穫量も異なる可能性が大きい。従って、作付面積に加えてそこに作付された作物の量を考慮することで、按分した結果として得られる各圃場分の収穫量が、より確からしい値になることが考えられる。
【０１３９】
例えば、圃場「蒲田−１」の作付面積が２０ａで、単位面積当たりの作付株数が１０、圃場「蒲田−２」の作付面積が３０ａで、単位面積当たりの作付株数が１５の場合を考える。この場合、圃場「蒲田−１」と圃場「蒲田−２」との作付面積比は２：３、単位面積当たりの作付株数比は２：３である。ここで、単位面積当たりの作付株数を作付面積と同等の重みで用いるのであれば、圃場「蒲田−１」と圃場「蒲田−２」との収穫量比を４（＝２×２）：９（＝３×３）とし、収穫量の４／（４＋９）を圃場「蒲田−１」の分とし、収穫量の９／（４＋９）を圃場「蒲田−２」の分とすることができる。
【０１４０】
上記では、単位面積当たりの作付株数を例に挙げて説明を行なったが、圃場に作付された作物の量に比例するとみなせる値を用いることができる。例えば、圃場に植えられている果樹の本数や、圃場に播種された種子の量などを利用することも考えられる。
【０１４１】
（収穫量記録装置１０１の圃場別選別結果表示処理手順）
つぎに、収穫量記録装置１０１の圃場別選別結果表示処理手順について説明する。
【０１４２】
図１９は、収穫量記録装置１０１の圃場別選別結果表示処理手順の一例を示すフローチャートである。図１９のフローチャートにおいて、まず、収穫量記録装置１０１は、特定の作物の分類ごとの収穫量の出力対象となる圃場の圃場名の指定を受け付けたか否かを判断する（ステップＳ１９０１）。
【０１４３】
ここで、収穫量記録装置１０１は、圃場名の指定を受け付けるのを待つ（ステップＳ１９０１：Ｎｏ）。そして、収穫量記録装置１０１は、圃場名の指定を受け付けた場合（ステップＳ１９０１：Ｙｅｓ）、収穫量ＤＢ２５０から、指定された圃場の圃場名に対応する収穫量情報を読み出す（ステップＳ１９０２）。
【０１４４】
つぎに、収穫量記録装置１０１は、読み出した収穫量情報に基づいて、圃場別選別結果画面の画面情報を作成する（ステップＳ１９０３）。そして、収穫量記録装置１０１は、作成した圃場別選別結果画面の画面情報をクライアント装置２０１に送信することにより、ディスプレイ４０６に圃場別選別結果画面を表示する（ステップＳ１９０４）。
【０１４５】
つぎに、収穫量記録装置１０１は、圃場別選別結果画面の比率ボタンがクリックされたか否かを判断する（ステップＳ１９０５）。ここで、収穫量記録装置１０１は、比率ボタンがクリックされるのを待つ（ステップＳ１９０５：Ｎｏ）。
【０１４６】
そして、収穫量記録装置１０１は、比率ボタンがクリックされた場合（ステップＳ１９０５：Ｙｅｓ）、圃場で生産された分類ごとの特定の作物の収穫量の割合を示す円グラフを作成する（ステップＳ１９０６）。つぎに、収穫量記録装置１０１は、作成した円グラフを含む比率画面をディスプレイ４０６にポップアップ表示して（ステップＳ１９０７）、本フローチャートによる一連の処理を終了する。
【０１４７】
これにより、圃場で生産された特定の作物の分類ごとの収穫量に関する情報をクライアント装置２０１のディスプレイ４０６に表示することができる。
【０１４８】
以上説明したように、実施の形態にかかる収穫量記録装置１０１によれば、圃場グループで生産された分類ごとの特定の作物の収穫量を、圃場グループに含まれる各圃場の作付面積に応じて按分することができる。これにより、圃場グループに含まれる各圃場の分類ごとの大まかな収穫量を求めることができる。
【０１４９】
また、収穫量記録装置１０１によれば、分類ごとの按分した後の各圃場に対応する収穫量を出来高（重量単位または収納単位）として、それぞれの圃場の識別子と対応付けて収穫量ＤＢ２５０に記憶することができる。これにより、圃場グループで生産された特定の作物について、各圃場の分類ごとの大まかな収穫量を記録することができる。
【０１５０】
また、収穫量記録装置１０１によれば、圃場ごとに按分された分類ごとの特定の作物の収穫量の合計量を算出し、算出した合計量を合計出来高として、圃場の識別子と対応付けて収穫量ＤＢ２５０に記憶することができる。これにより、圃場グループで生産された特定の作物について、圃場ごとの大まかな収穫量を記録することができる。
【０１５１】
また、収穫量記録装置１０１によれば、圃場ごとに、分類ごとの特定の作物の単価と、按分された分類ごとの特定の作物の収穫量とに基づいて、分類ごとの特定の作物の価格を算出することができる。これにより、圃場グループで生産された特定の作物について、各圃場の分類ごとの大まかな売上高を推定することができる。
【０１５２】
また、収穫量記録装置１０１によれば、各圃場の分類ごとの特定の作物の価格の合算値を、合計価格［円］として、圃場の識別子と対応付けて収穫量ＤＢ２５０に記憶することができる。これにより、圃場グループで生産された特定の作物について、圃場ごとの大まかな売上高を記録することができる。
【０１５３】
また、収穫量記録装置１０１によれば、圃場ごとに按分された分類ごとの特定の作物の収穫量の合計量に対する、圃場ごとに按分された分類ごとの特定の作物の収穫量の割合を算出することができる。これにより、圃場グループで生産された特定の作物について、各圃場の分類ごとの収穫量の割合を求めることができる。
【０１５４】
また、収穫量記録装置１０１によれば、算出した分類ごとの特定の作物の収穫量の割合を比率［％］として、圃場の識別子と対応付けて収穫量ＤＢ２５０に記憶することができる。これにより、圃場グループで生産された特定の作物について、各圃場の分類ごとの収穫量の比率を記録することができる。
【０１５５】
これらのことから、収穫量記録装置１０１によれば、圃場で作物の収穫と選別を同時に行う場合や、圃場グループで収穫された作物をまとめて選別する場合であっても、圃場グループで生産された特定の作物について、各圃場の分類ごとの大まかな収穫量を記録することができる。これにより、ユーザは、圃場グループで生産された作物について、各圃場の収支の情報を大まかに把握することが可能となり、各圃場における作業の見直しや作付け計画の見直しに役立てることができる。
【０１５６】
なお、本実施の形態で説明した収穫量記録方法は、予め用意されたプログラムをパーソナル・コンピュータやワークステーション等のコンピュータで実行することにより実現することができる。本収穫量記録プログラムは、ハードディスク、フレキシブルディスク、ＣＤ−ＲＯＭ、ＭＯ、ＤＶＤ等のコンピュータで読み取り可能な記録媒体に記録され、コンピュータによって記録媒体から読み出されることによって実行される。また、本収穫量記録プログラムは、インターネット等のネットワークを介して配布してもよい。
【符号の説明】
【０１５７】
１０１  収穫量記録装置
１１０  記憶部
２００  農業支援システム
２０１  クライアント装置
２２０  生産計画ＤＢ
２３０  単位マスタ
２４０  作物単価マスタ
２５０  収穫量ＤＢ
９００  圃場選択画面
１００１  受付部
１００２  算出部
１００３  出力部
１００４  作成部
１５００  圃場別選別結果画面
【図１】
2016035149.tif 000003
【図２】
2016035149.tif 000004
【図３】
2016035149.tif 000005
【図４】
2016035149.tif 000006
【図５】
2016035149.tif 000007
【図６】
2016035149.tif 000008
【図７】
2016035149.tif 000009
【図８】
2016035149.tif 000010
【図９】
2016035149.tif 000011
【図１０】
2016035149.tif 000012
【図１１】
2016035149.tif 000013
【図１２】
2016035149.tif 000014
【図１３】
2016035149.tif 000015
【図１４】
2016035149.tif 000016
【図１５】
2016035149.tif 000017
【図１６】
2016035149.tif 000018
【図１７】
2016035149.tif 000019
【図１８】
2016035149.tif 000020
【図１９】
2016035149.tif 000021
【手続補正書】
【提出日】平成29年1月11日(2017.1.11)
【手続補正１】
【補正対象書類名】特許請求の範囲
【補正対象項目名】全文
【補正方法】変更
【補正の内容】
【特許請求の範囲】
【請求項１】
コンピュータが、
複数の圃場のそれぞれで生産された特定の作物がいずれの圃場で生産されたかによらずに複数に分類された結果の、分類ごとの前記特定の作物の量を示す情報を受け付け、
前記複数の圃場のそれぞれについて記憶部に記憶されている前記特定の作物の栽培時の作付面積を参照して、前記分類ごとの前記特定の作物の量を、参照した前記複数の圃場のそれぞれの作付面積に応じて按分し、前記分類ごとの該按分した後の各圃場に対応する量を、それぞれの圃場の識別子と対応付けて記憶する、
処理を実行することを特徴とする収穫量記録方法。
【請求項２】
前記記憶する処理は、
さらに、圃場ごとに按分された前記分類ごとの前記特定の作物の量の合計量を算出し、算出した前記合計量を収穫量として、前記圃場の識別子と対応付けて記憶することを特徴とする請求項１に記載の収穫量記録方法。
【請求項３】
前記分類ごとに単位量当たりの価格が異なり、
前記記憶する処理は、
さらに、前記分類ごとの単位量当たりの価格と按分した前記特定の作物の量とから求めた価格の、圃場ごとの合算値を、前記圃場の識別子と対応付けて記憶することを特徴とする請求項１または２に記載の収穫量記録方法。
【請求項４】
コンピュータに、
複数の圃場のそれぞれで生産された特定の作物がいずれの圃場で生産されたかによらずに複数に分類された結果の、分類ごとの前記特定の作物の量を示す情報を受け付け、
前記複数の圃場のそれぞれについて記憶部に記憶されている前記特定の作物の栽培時の作付面積を参照して、前記分類ごとの前記特定の作物の量を、参照した前記複数の圃場のそれぞれの作付面積に応じて按分し、前記分類ごとの該按分した後の各圃場に対応する量を、それぞれの圃場の識別子と対応付けて記憶する、
処理を実行させることを特徴とする収穫量記録プログラム。
【請求項５】
複数の圃場のそれぞれについて、前記複数の圃場のそれぞれで生産された特定の作物の栽培時の作付面積を記憶する記憶部と、
前記特定の作物がいずれの圃場で生産されたかによらずに複数に分類された結果の、分類ごとの前記特定の作物の量を示す情報を受け付け、前記記憶部に記憶されている前記特定の作物の栽培時の作付面積を参照して、前記分類ごとの前記特定の作物の量を、参照した前記複数の圃場のそれぞれの作付面積に応じて按分し、前記分類ごとの該按分した後の各圃場に対応する量を、それぞれの圃場の識別子と対応付けて記憶する制御部と、
を有することを特徴とする収穫量記録装置。
【手続補正２】
【補正対象書類名】明細書
【補正対象項目名】全文
【補正方法】変更
【補正の内容】
【発明の詳細な説明】
【技術分野】
【０００１】
本発明は、収穫量記録方法、収穫量記録プログラムおよび収穫量記録装置に関する。
【背景技術】
【０００２】
農業において、圃場で生産された作物は、大きさ、重さ、色、つや、形、傷の有無などを基に選別されて出荷されることが多い。例えば、キャベツの選別では、大きさや重さを基に、Ｓ、Ｍ、Ｌ、２Ｌなどの階級に分類される。また、同じ品目の作物が複数の圃場で生産されることがある。
【０００３】
先行技術としては、例えば、刈取部で穀稈を刈取る圃場の穀稈総刈取面積と、穀物タンク内に貯留する穀物の総収穫量とに基づいて圃場の収量データを取得する技術がある。また、農産物の評価情報及び栽培場所を、生産部の生産情報、流通部の流通情報、消費部の消費情報と対応させて情報管理装置に記憶し、生産部、流通部、消費部から情報管理装置にアクセスするだけで、記憶された情報を閲覧、検索、取得可能にする技術がある。
【先行技術文献】
【特許文献】
【０００４】
【特許文献１】特開２００３−２８９７１７号公報
【特許文献２】特開２００４−１３３４９８号公報
【発明の概要】
【発明が解決しようとする課題】
【０００５】
しかしながら、従来技術によれば、複数の圃場で生産されたある作物について、例えば、各圃場で階級ごとの作物がどれくらいの量それぞれ生産されたのかといった選別結果を得ることが難しい場合がある。
【０００６】
一つの側面では、本発明は、複数の圃場で生産された作物について、各圃場の分類ごとの大まかな収穫量を記録する収穫量記録方法、収穫量記録プログラムおよび収穫量記録装置を提供することを目的とする。
【課題を解決するための手段】
【０００７】
本発明の一側面によれば、複数の圃場のそれぞれで生産された特定の作物がいずれの圃場で生産されたかによらずに複数に分類された結果の、分類ごとの前記特定の作物の量を示す情報を受け付け、前記複数の圃場のそれぞれについて記憶部に記憶されている前記特定の作物の栽培時の作付面積を参照して、前記分類ごとの前記特定の作物の量を、参照した前記複数の圃場のそれぞれの作付面積に応じて按分し、前記分類ごとの該按分した後の各圃場に対応する量を、それぞれの圃場の識別子と対応付けて記憶する収穫量記録方法、収穫量記録プログラムおよび収穫量記録装置が提案される。
【発明の効果】
【０００８】
本発明の一態様によれば、複数の圃場で生産された作物について、各圃場の分類ごとの大まかな収穫量を記録することができるという効果を奏する。
【図面の簡単な説明】
【０００９】
【図１】図１は、実施の形態にかかる収穫量記録方法の一実施例を示す説明図である。
【図２】図２は、農業支援システム２００のシステム構成例を示す説明図である。
【図３】図３は、収穫量記録装置１０１のハードウェア構成例を示すブロック図である。
【図４】図４は、クライアント装置２０１のハードウェア構成例を示すブロック図である。
【図５】図５は、生産計画ＤＢ２２０の記憶内容の一例を示す説明図である。
【図６】図６は、単位マスタ２３０の記憶内容の一例を示す説明図である。
【図７】図７は、作物単価マスタ２４０の記憶内容の一例を示す説明図である。
【図８】図８は、収穫量ＤＢ２５０の記憶内容の一例を示す説明図である。
【図９】図９は、圃場選択画面の画面例を示す説明図である。
【図１０】図１０は、収穫量記録装置１０１の機能的構成例を示すブロック図である。
【図１１】図１１は、収穫量ＤＢ２５０の記憶内容の変遷例を示す説明図（その１）である。
【図１２】図１２は、収穫量ＤＢ２５０の記憶内容の変遷例を示す説明図（その２）である。
【図１３】図１３は、収穫量ＤＢ２５０の記憶内容の変遷例を示す説明図（その３）である。
【図１４】図１４は、収穫量ＤＢ２５０の記憶内容の変遷例を示す説明図（その４）である。
【図１５】図１５は、圃場別選別結果画面の画面例を示す説明図（その１）である。
【図１６】図１６は、比率画面の画面例を示す説明図である。
【図１７】図１７は、圃場別選別結果画面の画面例を示す説明図（その２）である。
【図１８】図１８は、収穫量記録装置１０１の収穫量記録処理手順の一例を示すフローチャートである。
【図１９】図１９は、収穫量記録装置１０１の圃場別選別結果表示処理手順の一例を示すフローチャートである。
【発明を実施するための形態】
【００１０】
以下に図面を参照して、本発明にかかる収穫量記録方法、収穫量記録プログラムおよび収穫量記録装置の実施の形態を詳細に説明する。
【００１１】
（収穫量記録方法の一実施例）
図１は、実施の形態にかかる収穫量記録方法の一実施例を示す説明図である。図１において、収穫量記録装置１０１は、圃場で生産された作物の収穫量を記録するコンピュータである。ここで、圃場は、作物を栽培、生育するための田畑、菜園などである。作物は、農業活動によって生産される物であり、例えば、大分類として穀類、野菜、果実、花卉などがある。
【００１２】
収穫量は、収穫された作物、すなわち、収穫物の量である。収穫量を表す単位としては、例えば、重量単位や収納単位が用いられる。重量単位は、収穫物の重量を測る単位である。重量単位としては、例えば、ｋｇ（キログラム）、ｔ（トン）、ｌｂ（ポンド）などがある。収納単位は、収穫物を収納する入れ物を数える単位である。収納単位としては、例えば、ケース、箱、コンテナ、パックなどがある。
【００１３】
収穫された作物は、選別されて出荷されることが多い。選別とは、作物の大きさ、重さ、色、つや、形、傷の有無などを基に分類することである。果実の選別は「選果」と呼ばれることがある。例えば、作物の大きさや重さに基づく分類は「階級」と呼ばれる。階級としては、例えば、Ｓ、Ｍ、Ｌ、２Ｌなどがある。また、作物の色、つや、形、傷の有無などに基づく分類は「等級」と呼ばれる。等級としては、例えば、良、優、秀などがある。階級と等級をあわせて「等階級」と呼ばれることもある。
【００１４】
ここで、農業経営において、圃場ごとの収支の情報を把握して、作業の見直しや作付け計画の見直しに役立てることは重要である。ただし、作物の単価は、階級や等級ごとに異なることが多い。このため、圃場ごとの収支の情報を把握するには、圃場で収穫された作物の分類ごとの収穫量を記録することが求められる。
【００１５】
ところが、特定の作物が複数の圃場で生産されることがあり、複数の圃場で生産された特定の作物について、各圃場の分類ごとの収穫量を得ることが困難な場合がある。
【００１６】
例えば、キャベツやレタスなどの大型野菜の場合、圃場で収穫するときに、その場で選別しながら収穫を行うことがある。このような場合、作業者が、複数の圃場を回って、ある分類の作物を収穫すると、ある分類について、複数の圃場の収穫量は得られても、圃場ごとの収穫量を得ることは難しくなる。例えば、階級「Ｌ」相当の大きさの作物だけを複数の圃場を通して収穫した場合、「Ｌ」の作物について複数の圃場分の合計収穫量は得られるが、圃場毎の「Ｌ」の作物の収穫量を得るのは難しい。また、複数の圃場で収穫された作物をまとめて選別機（あるいは、選果機）に投入して、作物の選別が行われることがある。このような場合も各圃場の分類ごとの収穫量を得ることは難しくなる。例えば、複数の圃場で収穫されたミカンをまとめて選果機に投入して、Ｓ，Ｍ，Ｌ等の階級に選別した場合、複数の圃場を通しての階級「Ｓ」のミカンの合計収穫量、階級「Ｍ」のミカンの合計収穫量、階級「Ｌ」のミカンの合計収穫量は得られる。しかし、圃場毎に、各階級のミカンの収穫量を得るのは難しい。
【００１７】
そこで、本実施の形態では、複数の圃場で生産された作物について、各圃場の分類ごとの大まかな収穫量を記録することができる収穫量記録方法について説明する。以下、実施の形態にかかる収穫量記録装置１０１の処理例について説明する。
【００１８】
ここでは、作業者が、圃場Ａ、圃場Ｂおよび圃場Ｃを回って、各圃場で収穫と選別とを同時に行いながらキャベツを収穫した場合を想定する。また、圃場Ａ、圃場Ｂおよび圃場Ｃの３圃場から、階級「２Ｌ」のキャベツが２００［ｋｇ］収穫され、階級「Ｌ」のキャベツが４００［ｋｇ］収穫され、階級「Ｍ」のキャベツが１２０［ｋｇ］収穫された場合を想定する。
【００１９】
（１）収穫量記録装置１０１は、複数の圃場のそれぞれで生産された特定の作物がいずれの圃場で生産されたかによらずに複数に分類された結果の、分類ごとの特定の作物の量を示す情報を受け付ける。ここで、分類とは、上述したように、例えば、作物の大きさや重さに基づく「階級」や、作物の色、つや、形、傷の有無などに基づく「等級」である。階級や等級以外でも、作物を複数に分類する指標を用いても構わない。また、特定の作物の量とは、特定の作物の収穫量である。
【００２０】
図１の例では、収穫量記録装置１０１は、階級「２Ｌ」のキャベツの量「２００［ｋｇ］」と、階級「Ｌ」のキャベツの量「４００［ｋｇ］」と、階級「Ｍ」のキャベツの量「１２０［ｋｇ］」とを示す情報を受け付ける。各階級のキャベツの量は、圃場Ａ、圃場Ｂおよび圃場Ｃの３圃場のそれぞれで生産されたキャベツがいずれの圃場で生産されたかによらずに複数に分類された結果である。
【００２１】
（２）収穫量記録装置１０１は、複数の圃場のそれぞれについて記憶部１１０に記憶されている特定の作物の栽培時の作付面積を参照して、分類ごとの特定の作物の量を、参照した複数の圃場のそれぞれの作付面積に応じて按分する。ここで、作付面積とは、作物を作付けする面積である。
【００２２】
図１の例では、圃場Ａについてのキャベツの栽培時の作付面積を２０［ａ（アール）］とし、圃場Ｂについてのキャベツの栽培時の作付面積を１０［ａ］とし、圃場Ｃについてのキャベツの栽培時の作付面積を１０［ａ］とする。
【００２３】
一例として、階級「Ｌ」のキャベツの量「４００［ｋｇ］」を按分する場合について説明する。この場合、収穫量記録装置１０１は、例えば、各圃場Ａ，Ｂ，Ｃの作付面積に比例して、階級「Ｌ」のキャベツの量「４００［ｋｇ］」を各圃場Ａ，Ｂ，Ｃに分配する。
【００２４】
この結果、圃場Ａに按分される階級「Ｌ」のキャベツの量は、２００［ｋｇ］（＝４００［ｋｇ］×２０［ａ］／（２０［ａ］＋１０［ａ］＋１０［ａ］））となる。また、圃場Ｂに按分される階級「Ｌ」のキャベツの量は、１００［ｋｇ］（＝４００［ｋｇ］×１０［ａ］／（２０［ａ］＋１０［ａ］＋１０［ａ］））となる。また、圃場Ｃに按分される階級「Ｌ」のキャベツの量は、１００［ｋｇ］（＝４００［ｋｇ］×１０［ａ］／（２０［ａ］＋１０［ａ］＋１０［ａ］））となる。
【００２５】
（３）収穫量記録装置１０１は、分類ごとの按分した後の各圃場に対応する量を、それぞれの圃場の識別子と対応付けて記憶する。具体的には、例えば、収穫量記録装置１０１は、圃場Ａに按分された階級「Ｌ」のキャベツの量「２００［ｋｇ］」を、圃場Ａの圃場名「Ａ」と対応付けて記憶部１１０に記憶する。
【００２６】
また、収穫量記録装置１０１は、圃場Ｂに按分された階級「Ｌ」のキャベツの量「１００［ｋｇ］」を、圃場Ｂの圃場名「Ｂ」と対応付けて記憶部１１０に記憶する。また、収穫量記録装置１０１は、圃場Ｃに按分された階級「Ｌ」のキャベツの量「１００［ｋｇ］」を、圃場Ｃの圃場名「Ｃ」と対応付けて記憶部１１０に記憶する。
【００２７】
このように、収穫量記録装置１０１によれば、複数の圃場で生産された分類ごとの特定の作物の量を、複数の圃場のそれぞれの作付面積に応じて按分することにより、各圃場の分類ごとの大まかな収穫量を求めることができる。これにより、複数の圃場で生産された特定の作物について、各圃場の分類ごとの大まかな収穫量を記録することができる。
【００２８】
図１の例では、圃場Ａ〜Ｃで生産されたキャベツについて、各圃場Ａ〜Ｃの階級ごとの大まかな収穫量を記録することができる。この結果、各圃場Ａ〜Ｃの収支の情報を大まかに把握することが可能となり、各圃場Ａ〜Ｃにおける作業の見直しや作付け計画の見直しに役立てることができる。
【００２９】
（農業支援システム２００のシステム構成例）
つぎに、図１に示した収穫量記録装置１０１を農業支援システム２００に適用した場合について説明する。
【００３０】
図２は、農業支援システム２００のシステム構成例を示す説明図である。図２において、農業支援システム２００は、収穫量記録装置１０１と、複数のクライアント装置２０１（図２では、２台）と、を含む構成である。農業支援システム２００において、収穫量記録装置１０１とクライアント装置２０１は、有線または無線のネットワーク２１０を介して接続される。ネットワーク２１０は、例えば、ＬＡＮ（Ｌｏｃａｌ  Ａｒｅａ  Ｎｅｔｗｏｒｋ）、ＷＡＮ（Ｗｉｄｅ  Ａｒｅａ  Ｎｅｔｗｏｒｋ）、インターネットなどである。
【００３１】
ここで、収穫量記録装置１０１は、生産計画ＤＢ（データベース）２２０、単位マスタ２３０、作物単価マスタ２４０および収穫量ＤＢ２５０を有し、圃場で生産された作物の収穫量を記録する。収穫量記録装置１０１は、例えば、サーバである。各種ＤＢ等２２０，２３０，２４０，２５０の記憶内容については、図５〜図８を用いて後述する。
【００３２】
クライアント装置２０１は、ディスプレイ（例えば、後述する図４に示すディスプレイ４０６）を有し、収穫量記録装置１０１の表示制御に従って、各種画面を表示可能なコンピュータである。クライアント装置２０１は、例えば、農業経営者や作業者が使用するＰＣ、ノートＰＣ、タブレット型ＰＣ、スマートフォンなどである。
【００３３】
具体的には、例えば、収穫量記録装置１０１は、クライアント装置２０１から各種画面の表示要求を受信すると、各種画面の画面情報をクライアント装置２０１に送信する。この結果、クライアント装置２０１のディスプレイに各種画面が表示される。
【００３４】
（収穫量記録装置１０１のハードウェア構成例）
図３は、収穫量記録装置１０１のハードウェア構成例を示すブロック図である。図３において、収穫量記録装置１０１は、ＣＰＵ（Ｃｅｎｔｒａｌ  Ｐｒｏｃｅｓｓｉｎｇ  Ｕｎｉｔ）３０１と、メモリ３０２と、Ｉ／Ｆ（Ｉｎｔｅｒｆａｃｅ）３０３と、ディスクドライブ３０４と、ディスク３０５と、を有する。また、各構成部は、バス３００によってそれぞれ接続される。
【００３５】
ここで、ＣＰＵ３０１は、収穫量記録装置１０１の全体の制御を司る。メモリ３０２は、例えば、ＲＯＭ（Ｒｅａｄ  Ｏｎｌｙ  Ｍｅｍｏｒｙ）、ＲＡＭ（Ｒａｎｄｏｍ  Ａｃｃｅｓｓ  Ｍｅｍｏｒｙ）およびフラッシュＲＯＭなどを有する。具体的には、例えば、フラッシュＲＯＭやＲＯＭが各種プログラムを記憶し、ＲＡＭがＣＰＵ３０１のワークエリアとして使用される。メモリ３０２に記憶されるプログラムは、ＣＰＵ３０１にロードされることで、コーディングされている処理をＣＰＵ３０１に実行させる。
【００３６】
Ｉ／Ｆ３０３は、通信回線を通じてネットワーク２１０に接続され、ネットワーク２１０を介して他のコンピュータ（例えば、図２に示したクライアント装置２０１）に接続される。そして、Ｉ／Ｆ３０３は、ネットワーク２１０と内部のインターフェースを司り、他のコンピュータからのデータの入出力を制御する。Ｉ／Ｆ３０３には、例えば、モデムやＬＡＮアダプタなどを採用することができる。
【００３７】
ディスクドライブ３０４は、ＣＰＵ３０１の制御に従ってディスク３０５に対するデータのリード／ライトを制御する。ディスク３０５は、ディスクドライブ３０４の制御で書き込まれたデータを記憶する。ディスク３０５としては、例えば、磁気ディスク、光ディスクなどが挙げられる。
【００３８】
なお、収穫量記録装置１０１は、上述した構成部のほか、例えば、ＳＳＤ（Ｓｏｌｉｄ  Ｓｔａｔｅ  Ｄｒｉｖｅ）、キーボード、マウス、ディスプレイなどを有することにしてもよい。
【００３９】
（クライアント装置２０１のハードウェア構成例）
図４は、クライアント装置２０１のハードウェア構成例を示すブロック図である。図４において、クライアント装置２０１は、ＣＰＵ４０１と、メモリ４０２と、ディスクドライブ４０３と、ディスク４０４と、Ｉ／Ｆ４０５と、ディスプレイ４０６と、入力装置４０７と、を有する。また、各構成部はバス４００によってそれぞれ接続される。
【００４０】
ここで、ＣＰＵ４０１は、クライアント装置２０１の全体の制御を司る。メモリ４０２は、例えば、ＲＯＭ、ＲＡＭおよびフラッシュＲＯＭなどを有する。具体的には、例えば、フラッシュＲＯＭやＲＯＭが各種プログラムを記憶し、ＲＡＭがＣＰＵ４０１のワークエリアとして使用される。メモリ４０２に記憶されるプログラムは、ＣＰＵ４０１にロードされることで、コーディングされている処理をＣＰＵ４０１に実行させる。
【００４１】
ディスクドライブ４０３は、ＣＰＵ４０１の制御に従ってディスク４０４に対するデータのリード／ライトを制御する。ディスク４０４は、ディスクドライブ４０３の制御で書き込まれたデータを記憶する。ディスク４０４としては、例えば、磁気ディスク、光ディスクなどが挙げられる。
【００４２】
Ｉ／Ｆ４０５は、通信回線を通じてネットワーク２１０に接続され、ネットワーク２１０を介して他のコンピュータ（例えば、図２に示した収穫量記録装置１０１）に接続される。そして、Ｉ／Ｆ４０５は、ネットワーク２１０と内部のインターフェースを司り、他のコンピュータからのデータの入出力を制御する。
【００４３】
ディスプレイ４０６は、カーソル、アイコンあるいはツールボックスをはじめ、文書、画像、機能情報などのデータを表示する。ディスプレイ４０６は、例えば、ＣＲＴ（Ｃａｔｈｏｄｅ  Ｒａｙ  Ｔｕｂｅ）、液晶ディスプレイ、有機ＥＬ（Ｅｌｅｃｔｒｏｌｕｍｉｎｅｓｃｅｎｃｅ）ディスプレイなどを採用することができる。
【００４４】
入力装置４０７は、文字、数字、各種指示などの入力のためのキーを有し、データの入力を行う。入力装置４０７は、キーボードやマウスなどであってもよく、また、タッチパネル式の入力パッドやテンキーなどであってもよい。
【００４５】
なお、クライアント装置２０１は、上述した構成部のうち、例えば、ディスクドライブ４０３、ディスク４０４などを有さないことにしてもよい。また、クライアント装置２０１は、上述した構成部のほか、例えば、ＳＳＤ、スキャナ、プリンタなどを有することにしてもよい。
【００４６】
（各種ＤＢ等２２０，２３０，２４０，２５０の記憶内容）
つぎに、図５〜図８を用いて各種ＤＢ等２２０，２３０，２４０，２５０の記憶内容について説明する。各種ＤＢ等２２０，２３０，２４０，２５０は、例えば図３に示した収穫量記録装置１０１のメモリ３０２、ディスク３０５などの記憶装置により実現される。
【００４７】
＜生産計画ＤＢ２２０の記憶内容＞
図５は、生産計画ＤＢ２２０の記憶内容の一例を示す説明図である。図５において、生産計画ＤＢ２２０は、圃場名、品目、品種、作型および作付面積のフィールドを有する。各フィールドに情報を設定することで、生産計画情報（例えば、生産計画情報５００−１〜５００−３）がレコードとして記憶される。
【００４８】
ここで、生産計画とは、生産対象となる作物を、どの圃場にどのくらい作付けするのかの計画である。各圃場における作物の栽培は、生産計画に沿って行われる。圃場名は、圃場の名称である。圃場名として、例えば、１つの圃場を区切って分割した区画の名称である分筆名称を用いることにしてもよい。品目は、作物の種類である。品目としては、例えば、トマト、きゅうり、水稲、キャベツなどがある。
【００４９】
品種は、同一品目の中の種類である。例えば、キャベツの品種として、夏蒔きの品種であれば「彩風」「グリーンボール」、春蒔きの品種であれば「中早生２号」「中早生３号」「秋早生」「新風」などがある。作型は、作物の栽培を行うときの条件や技術の組み合わせを示す体系である。作型としては、例えば、ハウス栽培、露地栽培、夏蒔き栽培などがある。作付面積は、作物を作付けする面積である。
【００５０】
例えば、生産計画情報５００−１は、圃場「蒲田−１」に作付けされる作物の品目「キャベツ」、品種「○×」、作型「△△栽培」および作付面積「２０［ａ］」を示す。
【００５１】
なお、生産計画ＤＢ２２０には、上述した情報のほかに、例えば、各圃場の収穫計画、収穫実績、予定反収、実績反収などの情報が記憶される。収穫計画は、目標となる作物の収穫量を示す。収穫実績は、圃場で収穫された作物の収穫量を示す。予定反収は、目標となる作物の反収を示す。実績反収は、圃場で収穫された作物の反収を示す。なお、反収とは、田畑１反当たりの作物の収穫高である。反収は、１反当たりに代えて、１０ａ（アール）当たりで表現されることもある。
【００５２】
＜単位マスタ２３０の記憶内容＞
図６は、単位マスタ２３０の記憶内容の一例を示す説明図である。図６において、単位マスタ２３０は、品目、収納単位およびｋｇ換算値のフィールドを有する。各フィールドに情報を設定することで、単位情報（例えば、単位情報６００−１〜６００−３）がレコードとして記憶される。
【００５３】
ここで、品目は、作物の種類である。収納単位は、収穫作業や選別作業において用いられる収穫物を収納する入れ物を数える単位である。ｋｇ換算値は、作物の収穫量を収納単位で示す値を、重量単位であるｋｇに換算する際に適用する換算比率を示す。例えば、単位情報６００−１は、キャベツの収穫量をケース単位で示す値を、ｋｇに換算する際に適用する換算比率「１０．０」を示す。
【００５４】
なお、図６の例では、作物の品目に対応付けて、収納単位およびｋｇ換算値が記憶されることにしたが、これに限らない。例えば、作物の品目、品種および作型の組み合わせに対応付けて、収納単位およびｋｇ換算値が記憶されることにしてもよい。
【００５５】
＜作物単価マスタ２４０の記憶内容＞
図７は、作物単価マスタ２４０の記憶内容の一例を示す説明図である。図７において、作物単価マスタ２４０は、品目、規格、サイズおよび単価のフィールドを有する。各フィールドに情報を設定することで、単価情報（例えば、単価情報７００−１〜７００−４）がレコードとして記憶される。
【００５６】
ここで、品目は、作物の種類である。規格は、作物の色、つや、形、傷の有無などに基づく分類を示しており、上述した「等級」に対応する。サイズは、作物の大きさや重さに基づく分類を示しており、上述した「階級」に対応する。単価は、１ｋｇ当たりの作物の価格である。例えば、単価情報７００−１は、規格「秀」・サイズ「Ｌ」のキャベツの単価「７５円／ｋｇ」を示す。
【００５７】
なお、図７の例では、作物の品目に対応付けて、規格、サイズおよび単価が記憶されることにしたが、これに限らない。例えば、作物の品目、品種および作型の組み合わせに対応付けて、規格、サイズおよび単価が記憶されることにしてもよい。
【００５８】
＜収穫量ＤＢ２５０の記憶内容＞
図８は、収穫量ＤＢ２５０の記憶内容の一例を示す説明図である。図８において、収穫量ＤＢ２５０は、ロットＩＤ、ロット名、品目、合計［ｋｇ］、圃場名、規格、サイズ、出来高［ｋｇ］、比率［％］、合計出来高［ｋｇ］、価格［円］および合計価格［円］のフィールドを有する。各フィールドに情報を設定することで、収穫量情報（例えば、収穫量情報８００−１）がレコードとして記憶される。
【００５９】
ここで、ロットＩＤは、選別ロットを一意に識別する識別子である。選別ロットとは、圃場グループで生産された特定の作物の選別結果を示す。圃場グループは、１以上の圃場を含む。ロット名は、選別ロットの名称である。品目は、圃場グループのそれぞれの圃場で生産された特定の作物の種類である。合計［ｋｇ］は、圃場グループのそれぞれの圃場で生産された作物の収穫量の合計量を重量単位で示す。
【００６０】
圃場名は、圃場グループに含まれる圃場の名称である。規格は、上述した「等級」に対応する。サイズは、上述した「階級」に対応する。出来高［ｋｇ］は、圃場で生産された特定の作物の分類ごとの収穫量を重量単位で示す。ここでの分類は、規格（等級）とサイズ（階級）との組み合わせ（等階級）である。
【００６１】
比率［％］は、圃場で生産された特定の作物の分類ごとの収穫量の合計量、すなわち、圃場で生産された特定の作物の収穫量に対する、当該作物の分類ごとの収穫量の割合を示す。合計出来高［ｋｇ］は、圃場で生産された特定の作物の収穫量を重量単位で示す。価格［円］は、圃場で生産された特定の作物の分類ごとの収穫量に対応する価格である。
【００６２】
合計価格［円］は、圃場で生産された特定の作物の分類ごとの収穫量に対応する価格の合算値、すなわち、圃場で生産された特定の作物の収穫量に対応する価格である。なお、図示は省略するが、収穫量情報には、例えば、圃場グループで生産された特定の作物の選別が行われた選別日を示す情報が含まれることにしてもよい。
【００６３】
（圃場選択画面の画面例）
つぎに、クライアント装置２０１のディスプレイ４０６に表示される圃場選択画面の画面例について説明する。以下の説明では、操作画面に表示されている項目等をユーザが選択する操作として、クリック操作を行う場合を例に挙げて説明する。
【００６４】
図９は、圃場選択画面の画面例を示す説明図である。図９において、圃場選択画面９００は、圃場グループのそれぞれの圃場で生産された特定の作物がいずれの圃場で生産されたかによらずに複数に分類された結果の、分類ごとの特定の作物の収穫量の入力を行う操作画面である。
【００６５】
圃場選択画面９００において、図４に示した入力装置４０７を用いたユーザの操作入力により、アイコン９０１をクリックすると、圃場グループで生産された特定の作物の選別を行った選別日を入力することができる。図９の例では、選別日「２０１４年７月１日」が入力されている。
【００６６】
また、圃場選択画面９００において、アイコン９０２をクリックすると、圃場グループに含まれる圃場を選択することができる。図９の例では、圃場「蒲田−１」と圃場「蒲田−２」とが選択されている。なお、アイコン９０２をクリックして選択可能な選択肢には、圃場の圃場名のほかに、例えば、圃場で生産された作物の品目、品種および栽培時の作付面積が含まれている。
【００６７】
また、圃場選択画面９００において、ボックス９０３をクリックすると、選別ロットのロットＩＤを入力することができる。図９の例では、ロットＩＤ「Ｌ１」が入力されている。ただし、ロットＩＤは自動採番されることにしてもよい。また、圃場選択画面９００において、ボックス９０４をクリックすると、選別ロットのロット名を入力することができる。図９の例では、ロット名「７月１日ＡＭ選別品（生食キャベツ）」が入力されている。
【００６８】
また、圃場選択画面９００において、アイコン９０５〜９０８をクリックすると、圃場グループで生産された作物の規格を選択することができる。図９の例では、例えば、アイコン９０５がクリックされて、圃場グループで生産された作物の規格「秀」が選択されている。
【００６９】
また、圃場選択画面９００において、アイコン９０９〜９１２をクリックすると、圃場グループで生産された作物のサイズを選択することができる。図９の例では、例えば、アイコン９０９がクリックされて、圃場グループで生産された作物のサイズ「Ｌ」が選択されている。
【００７０】
また、圃場選択画面９００において、ボックス９１３〜９１６をクリックすると、圃場グループで生産された作物の分類ごとの収穫量を収納単位で示す値を入力することができる。図９の例では、例えば、ボックス９１３がクリックされて、圃場グループで生産された作物の規格「秀」・サイズ「Ｌ」の収穫量をケース単位で示す値「１２０」が入力されている。
【００７１】
また、圃場選択画面９００において、アイコン９１７〜９２０をクリックすると、圃場グループで生産された作物の収納単位を選択することができる。図９の例では、例えば、アイコン９１７がクリックされて、圃場グループで生産された作物の収納単位「ケース」が選択されている。
【００７２】
また、圃場選択画面９００において、ボックス９２１〜９２４をクリックすると、圃場グループで生産された作物の分類ごとの収穫量を重量単位で示す値を入力することができる。ただし、ボックス９１３〜９１６に値（出来高）が入力されると、入力された値をｋｇ換算した値（出来高（ｋｇ））がボックス９２１〜９２４に自動入力されることにしてもよい。図９の例では、例えば、ボックス９１３に入力された値「１２０」をｋｇ換算した値「１，２００」がボックス９２１に入力されている。
【００７３】
また、ボックス９２１〜９２４に値（出来高（ｋｇ））が入力されると、入力された値の合計値（合計）がボックス９２５に表示される。図９の例では、ボックス９２１〜９２４に入力された値の合計値「４，５００ｋｇ」がボックス９２５に入力されている。
【００７４】
また、圃場選択画面９００において、明細追加ボタン９２６をクリックすると、規格、サイズ、出来高、単位、出来高（ｋｇ）を入力するための行を追加することができる。
【００７５】
また、圃場選択画面９００において、登録ボタン９２７をクリックすると、圃場選択画面９００で入力された結果を含む選別情報が収穫量記録装置１０１に送信される。この結果、圃場グループのそれぞれの圃場で生産された特定の作物について、各圃場の分類ごとの収穫量を記録することができる。
【００７６】
（収穫量記録装置１０１の機能的構成例）
図１０は、収穫量記録装置１０１の機能的構成例を示すブロック図である。図１０において、収穫量記録装置１０１は、受付部１００１と、算出部１００２と、出力部１００３と、作成部１００４と、を含む構成である。受付部１００１〜作成部１００４は制御部となる機能であり、具体的には、例えば、図３に示したメモリ３０２、ディスク３０５などの記憶装置に記憶されたプログラムをＣＰＵ３０１に実行させることにより、または、Ｉ／Ｆ３０３により、その機能を実現する。各機能部の処理結果は、例えば、メモリ３０２、ディスク３０５などの記憶装置に記憶される。
【００７７】
受付部１００１は、圃場グループで生産された特定の作物の分類ごとの収穫量を示す選別情報を受け付ける。ここで、特定の作物の分類ごとの収穫量は、圃場グループのそれぞれの圃場で生産された特定の作物がいずれの圃場で生産されたかによらずに複数に分類された結果である。
【００７８】
選別情報の入力は、例えば、圃場選択画面９００（図９参照）において、クライアント装置２０１のユーザの操作入力により行われる。クライアント装置２０１は、入力された選別情報を収穫量記録装置１０１に送信する。この場合、受付部１００１は、クライアント装置２０１から選別情報を受信する。
【００７９】
選別情報には、例えば、選別日、圃場グループに含まれる圃場の圃場名、選別ロットのロットＩＤ、ロット名、特定の作物の品目、品種および圃場グループで生産された特定の作物の分類ごとの収穫量を示す情報が含まれる。収穫量は、重量単位または収納単位のいずれの単位で表されていてもよい。
【００８０】
なお、受付部１００１は、例えば、圃場グループで生産された特定の作物の選別が行われた選別機（あるいは、選果機）に接続された他のシステムから、圃場グループで生産された特定の作物の分類ごとの収穫量を示す選別情報を受け付けることにしてもよい。
【００８１】
算出部１００２は、受け付けられた選別情報に基づいて、圃場グループに含まれる各圃場の分類ごとの収穫量を算出する。具体的には、例えば、まず、算出部１００２は、生産計画ＤＢ２２０（図５参照）を参照して、圃場グループに含まれる各圃場の圃場名に対応する特定の作物の栽培時の作付面積を特定する。そして、算出部１００２は、圃場グループで生産された特定の作物の分類ごとの収穫量を、特定した各圃場の作付面積に応じて按分することにより、各圃場の分類ごとの収穫量を算出する。
【００８２】
また、圃場グループで生産された特定の作物の分類ごとの収穫量が収納単位で表されている場合がある。この場合、算出部１００２は、単位マスタ２３０（図６参照）を参照して、特定の作物の分類ごとの収穫量を、重量単位であるｋｇに換算することにしてもよい。なお、各圃場の分類ごとの収穫量の算出例については、図１２を用いて後述する。
【００８３】
出力部１００３は、算出された各圃場の分類ごとの収穫量を出力する。出力部１００３の出力形式としては、例えば、メモリ３０２、ディスク３０５などの記憶装置への記憶、Ｉ／Ｆ３０３による外部のコンピュータ（例えば、クライアント装置２０１）への送信、不図示のプリンタへの印刷出力などがある。
【００８４】
具体的には、例えば、出力部１００３は、分類ごとの按分した後の各圃場に対応する収穫量を出来高［ｋｇ］（あるいは、収納単位の出来高）として、それぞれの圃場の識別子と対応付けて収穫量ＤＢ２５０（図８参照）に記憶する。圃場の識別子は、例えば、圃場の圃場名である。
【００８５】
また、算出部１００２は、圃場ごとに按分された分類ごとの特定の作物の収穫量の合計量を算出することにしてもよい。この合計量は、圃場で生産された特定の作物の収穫量に相当する。なお、特定の作物の収穫量の合計量の算出例については、図１２を用いて後述する。
【００８６】
この場合、出力部１００３は、算出された特定の作物の収穫量の合計量を出力することにしてもよい。具体的には、例えば、出力部１００３は、算出された合計量を合計出来高［ｋｇ］（あるいは、収納単位の合計出来高）として、圃場の識別子と対応付けて収穫量ＤＢ２５０に記憶することにしてもよい。
【００８７】
ただし、収穫量ＤＢ２５０には、作業者の手入力などにより、圃場の合計出来高［ｋｇ］が既に記憶されている場合がある。この場合、収穫量記録装置１０１は、既に記憶されている値と、算出された合計量とのいずれを合計出来高［ｋｇ］として記憶するのかの選択を受け付けることにしてもよい。
【００８８】
また、算出部１００２は、圃場ごとに、分類ごとの特定の作物の単位量当たりの価格と、按分された分類ごとの特定の作物の収穫量とに基づいて、分類ごとの特定の作物の価格を算出することにしてもよい。この価格は、圃場で生産された分類ごとの特定の作物を販売することにより得られる金額に相当する。
【００８９】
この場合、出力部１００３は、算出された分類ごとの特定の作物の価格を出力することにしてもよい。具体的には、例えば、出力部１００３は、算出された分類ごとの特定の作物の価格を、圃場の識別子と対応付けて収穫量ＤＢ２５０に記憶することにしてもよい。
【００９０】
また、算出部１００２は、算出した分類ごとの特定の作物の価格を合算することにより、圃場ごとの合算値を算出することにしてもよい。この合算値は、圃場で生産された特定の作物を販売することにより得られる金額に相当する。なお、圃場ごとの合算値の算出例については、図１３を用いて後述する。
【００９１】
この場合、出力部１００３は、算出された圃場ごとの合算値を出力することにしてもよい。具体的には、例えば、出力部１００３は、算出された圃場ごとの合算値を合計価格［円］として、圃場の識別子と対応付けて収穫量ＤＢ２５０に記憶することにしてもよい。
【００９２】
また、算出部１００２は、圃場ごとに按分された分類ごとの特定の作物の収穫量の合計量に対する、圃場ごとに按分された分類ごとの特定の作物の収穫量の割合を算出することにしてもよい。この割合は、各圃場で分類ごとの特定の作物がどのような比率で収穫されたのかを判断する際の指標となる。なお、分類ごとの特定の作物の収穫量の割合の算出例については、図１４を用いて後述する。
【００９３】
この場合、出力部１００３は、算出された分類ごとの特定の作物の収穫量の割合を出力することにしてもよい。具体的には、例えば、出力部１００３は、算出された分類ごとの特定の作物の収穫量の割合を比率［％］として、圃場の識別子と対応付けて収穫量ＤＢ２５０に記憶することにしてもよい。
【００９４】
また、受付部１００１は、圃場の識別子の指定を受け付けることにしてもよい。ここで指定される圃場の識別子は、例えば、特定の作物の分類ごとの収穫量の出力対象となる圃場の識別子である。圃場の識別子の指定は、例えば、後述の図１５に示す圃場別選別結果画面１５００において、クライアント装置２０１のユーザの操作入力により行われる。クライアント装置２０１は、入力された入力結果を収穫量記録装置１０１に送信する。この場合、受付部１００１は、クライアント装置２０１から入力結果を受信することにより、圃場の識別子の指定を受け付けることにしてもよい。
【００９５】
作成部１００４は、指定された圃場で生産された特定の作物の分類ごとの収穫量を示す圃場別選別結果情報を作成する。具体的には、例えば、まず、作成部１００４は、収穫量ＤＢ２５０から、指定された圃場の識別子に対応する収穫量情報を読み出す。そして、作成部１００４は、読み出した収穫量情報に基づいて、後述の図１５の下側に示すような圃場別選別結果画面１５００の画面情報を作成することにしてもよい。
【００９６】
また、出力部１００３は、作成された圃場別選別結果情報を出力する。具体的には、例えば、出力部１００３は、作成された圃場別選別結果画面１５００の画面情報をクライアント装置２０１に送信することにより、クライアント装置２０１のディスプレイ４０６に圃場別選別結果画面１５００を表示する制御を行うことにしてもよい。
【００９７】
また、作成部１００４は、圃場で生産された分類ごとの特定の作物の収穫量の割合を示すグラフを作成することにしてもよい。グラフは、例えば、円グラフ、棒グラフなどである。具体的には、例えば、作成部１００４は、圃場で生産された分類ごとの特定の作物の収穫量の割合を示す円グラフ（例えば、後述の図１６に示す円グラフ１６０１）を作成することにしてもよい。
【００９８】
この場合、出力部１００３は、作成されたグラフを出力することにしてもよい。具体的には、例えば、出力部１００３は、後述の図１６に示すような、円グラフ１６０１を含む比率画面１６００を、クライアント装置２０１のディスプレイ４０６に表示する制御を行うことにしてもよい。
【００９９】
（収穫量ＤＢ２５０の記憶内容の変遷例）
つぎに、図１１〜図１４を用いて、図９に示した圃場選択画面９００において入力された選別情報を受け付けた場合を例に挙げて、収穫量ＤＢ２５０の記憶内容の変遷例について説明する。
【０１００】
図１１〜図１４は、収穫量ＤＢ２５０の記憶内容の変遷例を示す説明図である。まず、受付部１００１は、受け付けた選別情報に基づいて、選別ロットのロットＩＤ、ロット名、特定の作物の品目、合計［ｋｇ］、圃場グループに含まれる圃場の圃場名を各フィールドに情報を設定する（図１１参照）。
【０１０１】
この結果、収穫量情報８００−１が新たなレコードとして収穫量ＤＢ２５０に記憶される。ただし、この時点では、収穫量情報８００−１の規格、サイズ、出来高［ｋｇ］、比率［％］、合計出来高［ｋｇ］、価格［円］および合計価格［円］のフィールドは未設定である。
【０１０２】
＜出来高［ｋｇ］＞
つぎに、算出部１００２は、選別情報に基づいて、圃場グループに含まれる各圃場の分類ごとの収穫量を算出する。一例として、圃場グループで生産された規格「秀」・サイズ「Ｌ」のキャベツの収穫量を按分する場合について説明する。ただし、収穫量が収納単位（図９の例では、ケース）で表されている場合を想定する。
【０１０３】
この場合、算出部１００２は、単位マスタ２３０を参照して、品目「キャベツ」、収納単位「ケース」に対応するｋｇ換算値「１０．０」を特定する。そして、算出部１００２は、規格「秀」・サイズ「Ｌ」のキャベツの収穫量「１２０［ケース］」に、特定したｋｇ換算値「１０．０」を乗算することにより、ｋｇ単位の収穫量「１，２００［ｋｇ］」を求める。
【０１０４】
つぎに、算出部１００２は、生産計画ＤＢ２２０を参照して、圃場グループに含まれる圃場の圃場名「蒲田−１」に対する品目「キャベツ」、品種「○×」の作物の栽培時の作付面積「２０［ａ］」を特定する。また、算出部１００２は、生産計画ＤＢ２２０を参照して、圃場グループに含まれる圃場の圃場名「蒲田−２」に対する品目「キャベツ」、品種「○×」の作物の栽培時の作付面積「３０［ａ］」を特定する。
【０１０５】
そして、算出部１００２は、圃場グループで収穫された規格「秀」・サイズ「Ｌ」のキャベツの収穫量「１，２００［ｋｇ］」を、特定した各圃場の作付面積に応じて按分することにより、各圃場の規格「秀」・サイズ「Ｌ」の収穫量を算出する。ここでは、圃場「蒲田−１」の規格「秀」・サイズ「Ｌ」の収穫量は、「４８０［ｋｇ］」となる。また、圃場「蒲田−２」の規格「秀」・サイズ「Ｌ」の収穫量は、「７２０［ｋｇ］」となる。
【０１０６】
この場合、出力部１００３は、算出された規格「秀」・サイズ「Ｌ」の収穫量「４８０［ｋｇ］」を出来高［ｋｇ］として、圃場名「蒲田−１」と対応付けて収穫量情報８００−１に設定する。また、出力部１００３は、算出された規格「秀」・サイズ「Ｌ」の収穫量「７２０［ｋｇ］」を出来高［ｋｇ］として、圃場名「蒲田−２」と対応付けて収穫量情報８００−１に設定する（図１２参照）。
【０１０７】
＜合計出来高［ｋｇ］＞
つぎに、算出部１００２は、圃場ごとに按分された分類ごとのキャベツの収穫量の合計量を算出する。例えば、算出部１００２は、圃場「蒲田−１」の分類ごとのキャベツの出来高［ｋｇ］の合計量「１，８００［ｋｇ］」を算出する。この場合、出力部１００３は、算出された合計量「１，８００［ｋｇ］」を合計出来高［ｋｇ］として、圃場名「蒲田−１」と対応付けて収穫量情報８００−１に設定する（図１２参照）。
【０１０８】
＜価格［円］＞
つぎに、算出部１００２は、圃場ごとに、分類ごとのキャベツの価格を算出する。具体的には、例えば、算出部１００２は、作物単価マスタ２４０を参照して、規格「秀」・サイズ「Ｌ」のキャベツの単価「７５円／ｋｇ」を特定する。そして、算出部１００２は、圃場「蒲田−１」の規格「秀」・サイズ「Ｌ」の出来高「４８０［ｋｇ］」に、特定した単価「７５円／ｋｇ」を乗算することにより、規格「秀」・サイズ「Ｌ」のキャベツの価格「３６，０００［円］」を算出する。この場合、出力部１００３は、算出された規格「秀」・サイズ「Ｌ」の価格「３６，０００［円］」を、圃場名「蒲田−１」と対応付けて収穫量情報８００−１に設定する（図１３参照）。
【０１０９】
＜合計価格［円］＞
つぎに、算出部１００２は、算出した分類ごとのキャベツの価格を合算することにより、圃場ごとの合算値を算出する。具体的には、例えば、算出部１００２は、圃場「蒲田−１」の分類ごとのキャベツの価格を合算することにより、圃場「蒲田−１」の合算値「１２２，４００［円］」を算出する。この場合、出力部１００３は、算出された合算値「１２２，４００［円］」を合計価格［円］として、圃場名「蒲田−１」と対応付けて収穫量情報８００−１に設定する（図１３参照）。
【０１１０】
＜比率［％］＞
つぎに、算出部１００２は、圃場ごとの合計出来高［ｋｇ］に対する、圃場ごとに按分された分類ごとのキャベツの出来高［ｋｇ］の割合を算出する。具体的には、例えば、算出部１００２は、圃場「蒲田−１」の合計出来高「１，８００［ｋｇ］」に対する、圃場「蒲田−１」の規格「秀」・サイズ「Ｌ」のキャベツの出来高「４８０［ｋｇ］」の割合「２７［％］」を算出する。この場合、出力部１００３は、算出された規格「秀」・サイズ「Ｌ」の割合「２７［％］」を比率［％］として、圃場名「蒲田−１」と対応付けて収穫量情報８００−１に設定する（図１４参照）。
【０１１１】
（圃場別選別結果画面の画面例）
つぎに、クライアント装置２０１のディスプレイ４０６に表示される圃場別選別結果画面の画面例について説明する。
【０１１２】
図１５は、圃場別選別結果画面の画面例を示す説明図（その１）である。図１５において、圃場別選別結果画面１５００は、圃場で生産された特定の作物の分類ごとの収穫量を表示するための画面である。
【０１１３】
圃場別選別結果画面１５００において、入力装置４０７を用いたユーザの操作入力により、ボックス１５０１をクリックすると、特定の作物の分類ごとの収穫量の出力対象となる圃場の圃場名を入力することができる。図１５の例では、ボックス１５０１に圃場名「蒲田−１」が入力されている。
【０１１４】
圃場別選別結果画面１５００において、検索ボタン１５０２をクリックすると、圃場「蒲田−１」で生産された特定の作物の分類ごとの収穫量を表示することができる。
【０１１５】
図１５の例では、検索ボタン１５０２がクリックされた結果、圃場別選別結果画面１５００に、選別ロット「Ｌ１」および選別ロット名「７月１日ＡＭ選別品（生食キャベツ）」が表示されている。これにより、ユーザは、どの圃場グループで生産された何の作物についての選別結果であるかを特定することができる。
【０１１６】
また、圃場別選別結果画面１５００には、圃場「蒲田−１」の収穫計画「４，０００ｋｇ」、収穫実績「１，８００ｋｇ」、予定反収「２，０００ｋｇ／１０ａ」および実績反収「９００ｋｇ／１０ａ」が表示されている。
【０１１７】
これにより、ユーザは、圃場「蒲田−１」で生産するキャベツの収穫計画「４，０００ｋｇ」に対する収穫実績「１，８００ｋｇ」を把握することができる。この収穫実績「１，８００ｋｇ」は、圃場ごとに面積按分された分類ごとのキャベツの収穫量の合計量に相当する。
【０１１８】
また、ユーザは、圃場「蒲田−１」で生産するキャベツの予定反収「２，０００ｋｇ／１０ａ」に対する実績反収「９００ｋｇ／１０ａ」を把握することができる。この実績反収「９００ｋｇ／１０ａ」は、圃場ごとに面積按分された分類ごとのキャベツの収穫量の合計量に基づく反収である。例えば、異なる圃場グループ間で圃場同士の実績反収を比較することで、圃場への作付け作物の相性を判断することができる。
【０１１９】
また、圃場別選別結果画面１５００には、圃場「蒲田−１」で生産されたキャベツについて、分類ごとの収穫量として、収納単位で収穫量を表す「出来高」と、重量単位で収穫量を表す「出来高［ｋｇ］」とが表示されている。例えば、圃場「蒲田−１」で収穫された規格「秀」・サイズ「Ｌ」のキャベツの収穫量として、出来高「４８［ケース］」と出来高「４８０［ｋｇ］」とが表示されている。これにより、ユーザは、圃場「蒲田−１」で生産されたキャベツについて、分類（規格・サイズ）ごとの出来高を把握することができる。
【０１２０】
また、圃場別選別結果画面１５００には、圃場「蒲田−１」で生産されたキャベツの合計出来高「１，８００［ｋｇ］」と合計価格「１２２，４００［円］」とが表示されている。これにより、ユーザは、圃場「蒲田−１」で生産されたキャベツの合計出来高「１，８００［ｋｇ］」と合計価格「１２２，４００［円］」を把握することができる。
【０１２１】
また、圃場別選別結果画面１５００において、比率ボタン１５０３をクリックすると、図１６に示すような比率画面１６００を、ディスプレイ４０６にポップアップ表示することができる。
【０１２２】
図１６は、比率画面の画面例を示す説明図である。図１６において、比率画面１６００には、圃場「蒲田−１」で生産されたキャベツについて、分類ごとの収穫量の割合を示す円グラフ１６０１が表示されている。円グラフ１６０１によれば、圃場「蒲田−１」で分類（規格・サイズ）ごとのキャベツがどのような比率で収穫されたのかを判断することができる。これにより、ユーザは、例えば、予定通りの割合で各分類（規格・サイズ）のキャベツが圃場「蒲田−１」で生産できたか否かを評価することができる。
【０１２３】
図１７は、圃場別選別結果画面の画面例を示す説明図（その２）である。圃場別選別結果画面１５００において、入力装置４０７を用いたユーザの操作入力により、ボックス１５０１をクリックすると、特定の作物の分類ごとの収穫量の出力対象となる圃場の圃場名を入力することができる。図１７の例では、ボックス１５０１に圃場名「蒲田−２」が入力されている。
【０１２４】
圃場別選別結果画面１５００において、検索ボタン１５０２をクリックすると、圃場「蒲田−２」で生産された特定の作物の分類ごとの収穫量を表示することができる。
【０１２５】
図１７の例では、検索ボタン１５０２がクリックされた結果、圃場別選別結果画面１５００に、選別ロット「Ｌ１」および選別ロット名「７月１日ＡＭ選別品（生食キャベツ）」が表示されている。これにより、ユーザは、どの圃場グループで生産された何の作物についての選別結果であるかを特定することができる。
【０１２６】
また、圃場別選別結果画面１５００には、圃場「蒲田−２」の収穫計画「６，０００ｋｇ」、収穫実績「２，７００ｋｇ」、予定反収「２，０００ｋｇ／１０ａ」および実績反収「９００ｋｇ／１０ａ」が表示されている。
【０１２７】
これにより、ユーザは、圃場「蒲田−２」で生産するキャベツの収穫計画「６，０００ｋｇ」に対する収穫実績「２，７００ｋｇ」を把握することができる。この収穫実績「２，７００ｋｇ」は、圃場ごとに面積按分された分類ごとのキャベツの収穫量の合計量に相当する。
【０１２８】
また、ユーザは、圃場「蒲田−２」で生産するキャベツの予定反収「２，０００ｋｇ／１０ａ」に対する実績反収「９００ｋｇ／１０ａ」を把握することができる。この実績反収「９００ｋｇ／１０ａ」は、圃場ごとに面積按分された分類ごとのキャベツの収穫量の合計量に基づく反収である。
【０１２９】
また、圃場別選別結果画面１５００には、圃場「蒲田−２」で生産されたキャベツについて、分類ごとの収穫量として、収納単位で収穫量を表す「出来高」と、重量単位で収穫量を表す「出来高［ｋｇ］」とが表示されている。例えば、圃場「蒲田−２」で生産された規格「秀」・サイズ「Ｌ」のキャベツの収穫量として、出来高「７２［ケース］」と出来高「７２０［ｋｇ］」とが表示されている。これにより、ユーザは、圃場「蒲田−２」で生産されたキャベツについて、分類（規格・サイズ）ごとの出来高を把握することができる。
【０１３０】
また、圃場別選別結果画面１５００には、圃場「蒲田−２」で生産されたキャベツの合計出来高「２，７００［ｋｇ］」と合計価格「１８３，６００［円］」とが表示されている。これにより、ユーザは、圃場「蒲田−２」で生産されたキャベツの合計出来高「２，７００［ｋｇ］」と合計価格「１８３，６００［円］」を把握することができる。
【０１３１】
（収穫量記録装置１０１の収穫量記録処理手順）
つぎに、収穫量記録装置１０１の収穫量記録処理手順について説明する。
【０１３２】
図１８は、収穫量記録装置１０１の収穫量記録処理手順の一例を示すフローチャートである。図１８のフローチャートにおいて、まず、収穫量記録装置１０１は、圃場グループで生産された特定の作物の分類ごとの収穫量を示す選別情報を受け付けたか否かを判断する（ステップＳ１８０１）。
【０１３３】
ここで、収穫量記録装置１０１は、選別情報を受け付けるのを待つ（ステップＳ１８０１：Ｎｏ）。そして、収穫量記録装置１０１は、選別情報を受け付けた場合（ステップＳ１８０１：Ｙｅｓ）、生産計画ＤＢ２２０を参照して、圃場グループに含まれる各圃場の特定の作物の栽培時の作付面積を特定する（ステップＳ１８０２）。
【０１３４】
つぎに、収穫量記録装置１０１は、圃場グループで生産された特定の作物の分類ごとの収穫量を、特定した各圃場の作付面積に応じて按分することにより、各圃場の分類ごとの特定の作物の収穫量を算出する（ステップＳ１８０３）。そして、収穫量記録装置１０１は、圃場グループに含まれる圃場ごとに、算出した各圃場の分類ごとの特定の作物の収穫量の合計量を算出する（ステップＳ１８０４）。
【０１３５】
つぎに、収穫量記録装置１０１は、作物単価マスタ２４０を参照して、分類ごとの特定の作物の単価を特定する（ステップＳ１８０５）。そして、収穫量記録装置１０１は、圃場グループに含まれる圃場ごとに、特定した分類ごとの特定の作物の単価と、算出した分類ごとの特定の作物の収穫量とに基づいて、各圃場の分類ごとの特定の作物の価格を算出する（ステップＳ１８０６）。
【０１３６】
つぎに、収穫量記録装置１０１は、圃場グループに含まれる圃場ごとに、算出した分類ごとの特定の作物の価格を合算することにより、圃場ごとの合算値を算出する（ステップＳ１８０７）。つぎに、収穫量記録装置１０１は、圃場グループに含まれる圃場ごとに、算出した分類ごとの特定の作物の収穫量の合計量に対する、算出した分類ごとの特定の作物の収穫量の割合を算出する（ステップＳ１８０８）。
【０１３７】
そして、収穫量記録装置１０１は、ステップＳ１８０３，Ｓ１８０４，Ｓ１８０６〜Ｓ１８０８において算出した算出結果を、各圃場の圃場名と対応付けて収穫量ＤＢ２５０に記憶して（ステップＳ１８０９）、本フローチャートによる一連の処理を終了する。これにより、圃場グループごとの収穫量情報を収穫量ＤＢ２５０に記録することができる。
【０１３８】
なお、ステップＳ１８０３における各圃場の作付面積に応じて収穫量を按分する処理は、作付面積に加えて、各圃場と対応付けられている他の情報を利用して収穫量を按分するように変更することもできる。例えば、単位面積当たりの作付株数の情報が各圃場と対応付けて記憶されていれば、この情報を利用してもよい。二つの圃場が同じ作付面積であっても、単位面積当たりの作付け株数が異なれば、収穫量も異なる可能性が大きい。従って、作付面積に加えてそこに作付された作物の量を考慮することで、按分した結果として得られる各圃場分の収穫量が、より確からしい値になることが考えられる。
【０１３９】
例えば、圃場「蒲田−１」の作付面積が２０ａで、単位面積当たりの作付株数が１０、圃場「蒲田−２」の作付面積が３０ａで、単位面積当たりの作付株数が１５の場合を考える。この場合、圃場「蒲田−１」と圃場「蒲田−２」との作付面積比は２：３、単位面積当たりの作付株数比は２：３である。ここで、単位面積当たりの作付株数を作付面積と同等の重みで用いるのであれば、圃場「蒲田−１」と圃場「蒲田−２」との収穫量比を４（＝２×２）：９（＝３×３）とし、収穫量の４／（４＋９）を圃場「蒲田−１」の分とし、収穫量の９／（４＋９）を圃場「蒲田−２」の分とすることができる。
【０１４０】
上記では、単位面積当たりの作付株数を例に挙げて説明を行なったが、圃場に作付された作物の量に比例するとみなせる値を用いることができる。例えば、圃場に植えられている果樹の本数や、圃場に播種された種子の量などを利用することも考えられる。
【０１４１】
（収穫量記録装置１０１の圃場別選別結果表示処理手順）
つぎに、収穫量記録装置１０１の圃場別選別結果表示処理手順について説明する。
【０１４２】
図１９は、収穫量記録装置１０１の圃場別選別結果表示処理手順の一例を示すフローチャートである。図１９のフローチャートにおいて、まず、収穫量記録装置１０１は、特定の作物の分類ごとの収穫量の出力対象となる圃場の圃場名の指定を受け付けたか否かを判断する（ステップＳ１９０１）。
【０１４３】
ここで、収穫量記録装置１０１は、圃場名の指定を受け付けるのを待つ（ステップＳ１９０１：Ｎｏ）。そして、収穫量記録装置１０１は、圃場名の指定を受け付けた場合（ステップＳ１９０１：Ｙｅｓ）、収穫量ＤＢ２５０から、指定された圃場の圃場名に対応する収穫量情報を読み出す（ステップＳ１９０２）。
【０１４４】
つぎに、収穫量記録装置１０１は、読み出した収穫量情報に基づいて、圃場別選別結果画面の画面情報を作成する（ステップＳ１９０３）。そして、収穫量記録装置１０１は、作成した圃場別選別結果画面の画面情報をクライアント装置２０１に送信することにより、ディスプレイ４０６に圃場別選別結果画面を表示する（ステップＳ１９０４）。
【０１４５】
つぎに、収穫量記録装置１０１は、圃場別選別結果画面の比率ボタンがクリックされたか否かを判断する（ステップＳ１９０５）。ここで、収穫量記録装置１０１は、比率ボタンがクリックされるのを待つ（ステップＳ１９０５：Ｎｏ）。
【０１４６】
そして、収穫量記録装置１０１は、比率ボタンがクリックされた場合（ステップＳ１９０５：Ｙｅｓ）、圃場で生産された分類ごとの特定の作物の収穫量の割合を示す円グラフを作成する（ステップＳ１９０６）。つぎに、収穫量記録装置１０１は、作成した円グラフを含む比率画面をディスプレイ４０６にポップアップ表示して（ステップＳ１９０７）、本フローチャートによる一連の処理を終了する。
【０１４７】
これにより、圃場で生産された特定の作物の分類ごとの収穫量に関する情報をクライアント装置２０１のディスプレイ４０６に表示することができる。
【０１４８】
以上説明したように、実施の形態にかかる収穫量記録装置１０１によれば、圃場グループで生産された分類ごとの特定の作物の収穫量を、圃場グループに含まれる各圃場の作付面積に応じて按分することができる。これにより、圃場グループに含まれる各圃場の分類ごとの大まかな収穫量を求めることができる。
【０１４９】
また、収穫量記録装置１０１によれば、分類ごとの按分した後の各圃場に対応する収穫量を出来高（重量単位または収納単位）として、それぞれの圃場の識別子と対応付けて収穫量ＤＢ２５０に記憶することができる。これにより、圃場グループで生産された特定の作物について、各圃場の分類ごとの大まかな収穫量を記録することができる。
【０１５０】
また、収穫量記録装置１０１によれば、圃場ごとに按分された分類ごとの特定の作物の収穫量の合計量を算出し、算出した合計量を合計出来高として、圃場の識別子と対応付けて収穫量ＤＢ２５０に記憶することができる。これにより、圃場グループで生産された特定の作物について、圃場ごとの大まかな収穫量を記録することができる。
【０１５１】
また、収穫量記録装置１０１によれば、圃場ごとに、分類ごとの特定の作物の単価と、按分された分類ごとの特定の作物の収穫量とに基づいて、分類ごとの特定の作物の価格を算出することができる。これにより、圃場グループで生産された特定の作物について、各圃場の分類ごとの大まかな売上高を推定することができる。
【０１５２】
また、収穫量記録装置１０１によれば、各圃場の分類ごとの特定の作物の価格の合算値を、合計価格［円］として、圃場の識別子と対応付けて収穫量ＤＢ２５０に記憶することができる。これにより、圃場グループで生産された特定の作物について、圃場ごとの大まかな売上高を記録することができる。
【０１５３】
また、収穫量記録装置１０１によれば、圃場ごとに按分された分類ごとの特定の作物の収穫量の合計量に対する、圃場ごとに按分された分類ごとの特定の作物の収穫量の割合を算出することができる。これにより、圃場グループで生産された特定の作物について、各圃場の分類ごとの収穫量の割合を求めることができる。
【０１５４】
また、収穫量記録装置１０１によれば、算出した分類ごとの特定の作物の収穫量の割合を比率［％］として、圃場の識別子と対応付けて収穫量ＤＢ２５０に記憶することができる。これにより、圃場グループで生産された特定の作物について、各圃場の分類ごとの収穫量の比率を記録することができる。
【０１５５】
これらのことから、収穫量記録装置１０１によれば、圃場で作物の収穫と選別を同時に行う場合や、圃場グループで収穫された作物をまとめて選別する場合であっても、圃場グループで生産された特定の作物について、各圃場の分類ごとの大まかな収穫量を記録することができる。これにより、ユーザは、圃場グループで生産された作物について、各圃場の収支の情報を大まかに把握することが可能となり、各圃場における作業の見直しや作付け計画の見直しに役立てることができる。
【０１５６】
なお、本実施の形態で説明した収穫量記録方法は、予め用意されたプログラムをパーソナル・コンピュータやワークステーション等のコンピュータで実行することにより実現することができる。本収穫量記録プログラムは、ハードディスク、フレキシブルディスク、ＣＤ−ＲＯＭ、ＭＯ、ＤＶＤ等のコンピュータで読み取り可能な記録媒体に記録され、コンピュータによって記録媒体から読み出されることによって実行される。また、本収穫量記録プログラムは、インターネット等のネットワークを介して配布してもよい。
【０１５７】
上述した実施の形態に関し、さらに以下の付記を開示する。
【０１５８】
（付記１）コンピュータが、
複数の圃場のそれぞれで生産された特定の作物がいずれの圃場で生産されたかによらずに複数に分類された結果の、分類ごとの前記特定の作物の量を示す情報を受け付け、
前記複数の圃場のそれぞれについて記憶部に記憶されている前記特定の作物の栽培時の作付面積を参照して、前記分類ごとの前記特定の作物の量を、参照した前記複数の圃場のそれぞれの作付面積に応じて按分し、前記分類ごとの該按分した後の各圃場に対応する量を、それぞれの圃場の識別子と対応付けて記憶する、
処理を実行することを特徴とする収穫量記録方法。
【０１５９】
（付記２）前記記憶する処理は、
さらに、圃場ごとに按分された前記分類ごとの前記特定の作物の量の合計量を算出し、算出した前記合計量を収穫量として、前記圃場の識別子と対応付けて記憶することを特徴とする付記１に記載の収穫量記録方法。
【０１６０】
（付記３）前記分類ごとに単位量当たりの価格が異なり、
前記記憶する処理は、
さらに、前記分類ごとの単位量当たりの価格と按分した前記特定の作物の量とから求めた価格の、圃場ごとの合算値を、前記圃場の識別子と対応付けて記憶することを特徴とする付記１または２に記載の収穫量記録方法。
【０１６１】
（付記４）前記記憶する処理は、
さらに、圃場ごとに按分された前記分類ごとの前記特定の作物の量の合計量に対する、前記圃場ごとに按分された前記分類ごとの前記特定の作物の量の割合を算出し、算出した前記分類ごとの割合を、前記圃場の識別子と対応付けて記憶することを特徴とする付記１に記載の収穫量記録方法。
【０１６２】
（付記５）コンピュータに、
複数の圃場のそれぞれで生産された特定の作物がいずれの圃場で生産されたかによらずに複数に分類された結果の、分類ごとの前記特定の作物の量を示す情報を受け付け、
前記複数の圃場のそれぞれについて記憶部に記憶されている前記特定の作物の栽培時の作付面積を参照して、前記分類ごとの前記特定の作物の量を、参照した前記複数の圃場のそれぞれの作付面積に応じて按分し、前記分類ごとの該按分した後の各圃場に対応する量を、それぞれの圃場の識別子と対応付けて記憶する、
処理を実行させることを特徴とする収穫量記録プログラム。
【０１６３】
（付記６）複数の圃場のそれぞれについて、前記複数の圃場のそれぞれで生産された特定の作物の栽培時の作付面積を記憶する記憶部と、
前記特定の作物がいずれの圃場で生産されたかによらずに複数に分類された結果の、分類ごとの前記特定の作物の量を示す情報を受け付け、前記記憶部に記憶されている前記特定の作物の栽培時の作付面積を参照して、前記分類ごとの前記特定の作物の量を、参照した前記複数の圃場のそれぞれの作付面積に応じて按分し、前記分類ごとの該按分した後の各圃場に対応する量を、それぞれの圃場の識別子と対応付けて記憶する制御部と、
を有することを特徴とする収穫量記録装置。
【符号の説明】
【０１６４】
１０１  収穫量記録装置
１１０  記憶部
２００  農業支援システム
２０１  クライアント装置
２２０  生産計画ＤＢ
２３０  単位マスタ
２４０  作物単価マスタ
２５０  収穫量ＤＢ
９００  圃場選択画面
１００１  受付部
１００２  算出部
１００３  出力部
１００４  作成部
１５００  圃場別選別結果画面
【国際調査報告】
2016035149.tif 000022
2016035149.tif 000023
2016035149.tif 000024